(57)【要約】【課題】本件発明の課題は周辺光量が豊富で高い光学性能を有し、且つ、高変倍比のズームレンズ及び当該ズームレンズを有する撮像装置を提供することにある。【解決手段】上記課題を解決するため、物体側から順に、正の第１レンズ群Ｇ１と、負の第２レンズ群Ｇ２と、正の第３レンズ群Ｇ３と、正の第４レンズ群Ｇ４と、負の第５レンズ群Ｇ５と、第６レンズ群とを備え、ズーミングに際して隣接するレンズ群の光軸上の間隔が変化し、所定の条件式を満足することを特徴とするズームレンズを提供する。また、当該ズームレンズを備えた撮像装置を提供する。【選択図】図１
2019191445.tif 000002
【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、第６レンズ群とを備え、ズーミングに際して隣接するレンズ群の光軸上の間隔が変化するズームレンズであって、以下の条件式を満足することを特徴とするズームレンズ。
０．１０  ≦  ｆ３４ｗ／｜ｆ５｜  ≦  ０．７５  ・・・（１）
−０．５    ≦  ｆｗ／ｆ５ｉｗ  ≦  ０．２        ・・・（２）
但し、
ｆ３４ｗ：広角端における前記第３レンズ群及び前記第４レンズ群の合成焦点距離
ｆ５    ：前記第５レンズ群の焦点距離
ｆｗ    ：広角端における当該ズームレンズの焦点距離
ｆ５ｉｗ：広角端における前記第５レンズ群から当該ズームレンズにおいて最も像側に配置されるレンズ群までの合成焦点距離
【請求項２】
以下の条件式を満足する請求項１に記載のズームレンズ。
２．５  ≦  ｆ１／ｆｗ  ≦  ９．０  ・・・（３）
但し、
ｆ１：  前記第１レンズ群の焦点距離
【請求項３】
以下の条件式を満足する請求項１又は請求項２に記載のズームレンズ。
４．０  ≦  Ｔ３ｗ／Ｙ  ≦  ８．０  ・・・（４）
但し、
Ｔ３ｗ：  広角端における前記第３レンズ群の最も物体側の面から結像面までの光軸上の距離
Ｙ    ：  広角端における最大像高
【請求項４】
以下の条件式を満足する請求項１から請求項３のいずれか一項に記載のズームレンズ。
−０．１０  ≦  ｆ３４５ｗ／ｆ６ｉｗ  ≦  ０．７０  ・・・（５）
但し、
ｆ３４５ｗ：  広角端における前記第３レンズ群から前記第５レンズ群までの合成焦点距離
ｆ６ｉｗ  ：  広角端における、前記第６レンズ群から当該ズームレンズにおいて最も像側に配置されるレンズ群までの合成焦点距離
【請求項５】
前記第６レンズ群は正の屈折力を有する請求項１から請求項４のいずれか一項に記載のズームレンズ。
【請求項６】
広角端から望遠端へのズーミングに際し、前記第３レンズ群と前記第４レンズ群との光軸上の間隔が狭くなるように、前記第３レンズ群及び前記第４レンズ群のうち少なくともいずれか一方のレンズ群が光軸上を移動する請求項１から請求項５のいずれか一項に記載のズームレンズ。
【請求項７】
前記第５レンズ群は、物体側から順に、負の屈折力を有する第５Ａレンズ群、正又は負の屈折力を有する第５Ｂレンズ群とから構成され、
前記第５Ａレンズ群が光軸に対して垂直方向に移動可能に構成された請求項１から請求項６のいずれか一項に記載のズームレンズ。
【請求項８】
前記第５レンズ群は、少なくとも２枚の正レンズを有する請求項１から請求項７のいずれか一項に記載のズームレンズ。
【請求項９】
前記第３レンズ群及び前記第４レンズ群のうち、少なくともいずれか一方のレンズ群は、最も物体側に正レンズを有する請求項１から請求項８のいずれか一項に記載のズームレンズ。
【請求項１０】
ズーミングに際し、前記第４レンズ群と前記第６レンズ群とは同一の軌跡で移動する請求項１から請求項９のいずれか一項に記載のズームレンズ。
【請求項１１】
請求項１から請求項１０のいずれか一項に記載のズームレンズと、当該ズームレンズの像側に当該ズームレンズによって形成された光学像を電気的信号に変換する撮像素子とを備えたことを特徴とする撮像装置。
【発明の詳細な説明】
【技術分野】
【０００１】
本件発明は、ズームレンズ及び撮像装置に関し、特に、デジタルスチルカメラやデジタルビデオカメラ等の固体撮像素子（ＣＣＤやＣＭＯＳ等）を用いた撮像装置に好適なズームレンズ及び撮像装置に関する。
【背景技術】
【０００２】
従来より、デジタルスチルカメラやデジタルビデオカメラ等の固体撮像素子を用いた撮像装置が広く普及している。このような撮像装置として、例えば、デジタルスチルカメラ、デジタルビデオカメラ、放送用カメラ／フィルム用カメラ、監視カメラ、車載カメラ等種々のものがある。固体撮像素子を構成する受光素子の高集積化に伴い、いずれの撮像装置においても高機能化と共に小型化が進み、撮像装置の撮像光学系においても一層の高性能化及び小型化が求められている。
【０００３】
撮像光学系として、従来より、ズームレンズが広く用いられている。ズームレンズでは、高性能化及び小型化に加えて、広角化や高変倍化が求められている。例えば、特許文献１には正・負・正・負・正の５つのレンズ群から構成されたズームレンズが開示されている。また、特許文献２には、正・負・正・正・負・正の６つのレンズ群から構成されたズームレンズが開示されている。このような所謂正先行型のズームレンズは、高変倍化が図りやすく、また、変倍時に各レンズ群を移動させる際の移動量や移動方向についての自由度が高い。そのため、所望の変倍比を達成しつつ、収差の変動を抑制し、ズーム全域において光学性能の高いズームレンズを実現することが容易になる。
【先行技術文献】
【特許文献】
【０００４】
【特許文献１】特開平８−１７９２１３
【特許文献２】特開２０１７−１５１２４０
【発明の概要】
【発明が解決しようとする課題】
【０００５】
しかしながら、上記特許文献１に開示のズームレンズは、第１レンズ群から第４レンズ群までの合成屈折力が小さく、合成焦点距離は負の値を示す。当該ズームレンズでは、広角端における半画角が４１度と広角化を達成しているものの、広角端では第５レンズ群を通過する周辺光線の高さが高い。そのため、カメラマウント部及びレンズマウント部の内径制約により、周辺光束のケラレが発生し、豊富な周辺光量を確保することが困難であった。また、最終レンズ群である第５レンズ群の径が大きくなるため、当該ズームレンズの径方向の小型化を図ることも困難である。さらに、特許文献１に開示のズームレンズの変倍比は４倍程度であり、高変倍化を図るには、ズーミングの際の各レンズ群の移動量を増やす必要がある。また、良好な結像性能を実現するには、収差補正のための構成レンズ枚数を増加させる必要がある。これらのことから、高変倍化を図ると、光学全長が長くなり、周辺光量の確保がより困難になるという課題が生じる。
【０００６】
特許文献２に開示のズームレンズは１２倍程度の高変倍比を実現している。しかしながら、当該ズームレンズにおいても、第１レンズ群から第５レンズ群までの合成屈折力が弱いため、最終レンズ群である第６レンズ群を通過する周辺光束の高さが高く、周辺光量の確保及び径方向の小型化が困難になる。
【０００７】
本件発明の課題は周辺光量が豊富で高い光学性能を有し、且つ、高変倍比であり、小型のズームレンズ及び当該ズームレンズ有する撮像装置を提供することにある。
【課題を解決するための手段】
【０００８】
上記課題を解決するために、本件発明に係るズームレンズは、物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、第６レンズ群とを備え、ズーミングに際して隣接するレンズ群の光軸上の間隔が変化するズームレンズであって、以下の条件式を満足することを特徴とする。
０．１０  ≦  ｆ３４ｗ／｜ｆ５｜  ≦  ０．７５  ・・・（１）
−０．５    ≦  ｆｗ／ｆ５ｉｗ  ≦  ０．２        ・・・（２）
但し、
ｆ３４ｗ：広角端における前記第３レンズ群及び前記第４レンズ群の合成焦点距離
ｆ５    ：前記第５レンズ群の焦点距離
ｆｗ    ：広角端における当該ズームレンズの焦点距離
ｆ５ｉｗ：広角端における前記第５レンズ群から当該ズームレンズにおいて最も像側に配置されるレンズ群までの合成焦点距離
【０００９】
また、上記課題を解決するために、本件発明に係る撮像装置は、上記本件発明に係るズームレンズと、当該ズームレンズの像側に当該ズームレンズによって形成された光学像を電気的信号に変換する撮像素子とを備えたことを特徴とする。
【発明の効果】
【００１０】
本件発明によれば周辺光量が豊富で高い光学性能を有し、且つ、高変倍比であり、小型のズームレンズ及び当該ズームレンズ有する撮像装置を提供することができる。
【図面の簡単な説明】
【００１１】
【図１】本件発明の実施例１のズームレンズの広角端における無限遠合焦時のレンズ断面図を示す。
【図２】実施例１の広角端における無限遠合焦時の球面収差図、非点収差図及び歪曲収差図である。
【図３】実施例１の第１の中間焦点距離位置における無限遠合焦時の球面収差図、非点収差図及び歪曲収差図である。
【図４】実施例１の第２の中間焦点距離位置における無限遠合焦時の球面収差図、非点収差図及び歪曲収差図である。
【図５】実施例１の望遠端における無限遠合焦時の球面収差図、非点収差図及び歪曲収差図である。
【図６】本件発明の実施例２のズームレンズの広角端における無限遠合焦時のレンズ断面図を示す。
【図７】実施例２の広角端における無限遠合焦時の球面収差図、非点収差図及び歪曲収差図である。
【図８】実施例２の第１の中間焦点距離位置における無限遠合焦時の球面収差図、非点収差図及び歪曲収差図である。
【図９】実施例２の第２の中間焦点距離位置における無限遠合焦時の球面収差図、非点収差図及び歪曲収差図である。
【図１０】実施例２の望遠端における無限遠合焦時の球面収差図、非点収差図及び歪曲収差図である。
【図１１】本件発明の実施例３のズームレンズの広角端における無限遠合焦時のレンズ断面図を示す。
【図１２】実施例３の広角端における無限遠合焦時の球面収差図、非点収差図及び歪曲収差図である。
【図１３】実施例３の第１の中間焦点距離位置における無限遠合焦時の球面収差図、非点収差図及び歪曲収差図である。
【図１４】実施例３の第２の中間焦点距離位置における無限遠合焦時の球面収差図、非点収差図及び歪曲収差図である。
【図１５】実施例３の望遠端における無限遠合焦時の球面収差図、非点収差図及び歪曲収差図である。
【図１６】本件発明の実施例４のズームレンズの広角端における無限遠合焦時のレンズ断面図を示す。
【図１７】実施例４の広角端における無限遠合焦時の球面収差図、非点収差図及び歪曲収差図である。
【図１８】実施例４の第１の中間焦点距離位置における無限遠合焦時の球面収差図、非点収差図及び歪曲収差図である。
【図１９】実施例４の第２の中間焦点距離位置における無限遠合焦時の球面収差図、非点収差図及び歪曲収差図である。
【図２０】実施例４の望遠端における無限遠合焦時の球面収差図、非点収差図及び歪曲収差図である。
【図２１】本件発明の実施例５のズームレンズの広角端における無限遠合焦時のレンズ断面図を示す。
【図２２】実施例５の広角端における無限遠合焦時の球面収差図、非点収差図及び歪曲収差図である。
【図２３】実施例５の第１の中間焦点距離位置における無限遠合焦時の球面収差図、非点収差図及び歪曲収差図である。
【図２４】実施例５の第２の中間焦点距離位置における無限遠合焦時の球面収差図、非点収差図及び歪曲収差図である。
【図２５】実施例５の望遠端における無限遠合焦時の球面収差図、非点収差図及び歪曲収差図である。
【図２６】本件発明の実施例６のズームレンズの広角端における無限遠合焦時のレンズ断面図を示す。
【図２７】実施例６の広角端における無限遠合焦時の球面収差図、非点収差図及び歪曲収差図である。
【図２８】実施例６の第１の中間焦点距離位置における無限遠合焦時の球面収差図、非点収差図及び歪曲収差図である。
【図２９】実施例６の第２の中間焦点距離位置における無限遠合焦時の球面収差図、非点収差図及び歪曲収差図である。
【図３０】実施例６の望遠端における無限遠合焦時の球面収差図、非点収差図及び歪曲収差図である。
【図３１】本件発明の実施例７のズームレンズの広角端における無限遠合焦時のレンズ断面図を示す。
【図３２】実施例７の広角端における無限遠合焦時の球面収差図、非点収差図及び歪曲収差図である。
【図３３】実施例の第１の中間焦点距離位置における無限遠合焦時の球面収差図、非点収差図及び歪曲収差図である。
【図３４】実施例７の第２の中間焦点距離位置における無限遠合焦時の球面収差図、非点収差図及び歪曲収差図である。
【図３５】実施例７の望遠端における無限遠合焦時の球面収差図、非点収差図及び歪曲収差図である。
【図３６】本件発明の実施例８のズームレンズの広角端における無限遠合焦時のレンズ断面図を示す。
【図３７】実施例８の広角端における無限遠合焦時の球面収差図、非点収差図及び歪曲収差図である。
【図３８】実施例８の第１の中間焦点距離位置における無限遠合焦時の球面収差図、非点収差図及び歪曲収差図である。
【図３９】実施例８の第２の中間焦点距離位置における無限遠合焦時の球面収差図、非点収差図及び歪曲収差図である。
【図４０】実施例８の望遠端における無限遠合焦時の球面収差図、非点収差図及び歪曲収差図である。
【発明を実施するための形態】
【００１２】
以下、本件発明に係るズームレンズ及び撮像装置の実施の形態を説明する。但し、以下に説明する当該ズームレンズ及び撮像装置は本件発明に係るズームレンズ及び撮像装置の一態様であって、本件発明に係るズームレンズ及び撮像装置は以下の態様に限定されるものではない。
【００１３】
１．ズームレンズ
１−１．構成
まず、本件発明に係るズームレンズの実施の形態を説明する。本実施の形態のズームレンズは物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、第６レンズ群とを備え、ズーミングに際して隣接するレンズ群の光軸上の間隔が変化する。
【００１４】
当該ズームレンズは、上記構成を採用し、ズーミングの際に隣接するレンズ群の間隔を変化させることで変倍する。当該ズームレンズは少なくとも６つのレンズ群を備えるため、ズーミングの際の各レンズ群の移動量や移動の方向についての自由度が高い。そのため、上記構成を採用することで、高変倍比を達成しつつ、ズーム全域における収差の変動を抑制することが容易になるため、高性能なズームレンズを得ることができる。
【００１５】
（１）第１レンズ群
第１レンズ群は正の屈折力を有する限り、その具体的なレンズ構成は特に限定されるものではない。例えば、２枚の正レンズを含む構成とすることにより、第１レンズ群に強い正の屈折力を配置することで、高変倍比を達成しつつ、望遠端における光学全長の短いズームレンズを得ることが容易になる。また、少なくとも１枚の負レンズを含む構成とすることにより、球面収差の補正が容易になるため好ましい。
【００１６】
（２）第２レンズ群
第２レンズ群は負の屈折力を有する限り、その具体的なレンズ構成は特に限定されるものではない。例えば、２枚以上の負レンズを含む構成とすることにより、第２レンズ群に強い負の屈折力を配置すること、高変倍比を達成しつつ、望遠端における光学全長の短いズームレンズを得ることが容易になる。
【００１７】
また、第２レンズ群の最も像側に配置されるレンズは、少なくともその１面が非球面であることが好ましい。このような構成とすることで、広角側でのコマ収差と望遠側での球面収差のバランスを良好に補正することができる。
【００１８】
（３）第３レンズ群及び第４レンズ群
第３レンズ群及び第４はそれぞれ正の屈折力を有する限り、その具体的なレンズ構成は特に限定されるものではない。しかしながら、例えば、第３レンズ群及び第４レンズ群のうち、少なくともいずれか一方のレンズ群は、その最も物体側に正レンズを有することが好ましい。第３レンズ群及び第４レンズ群のうち、少なくともいずれか一方のレンズ群の最も物体側に正レンズを配置することで、第３レンズ群以降に配置されるレンズ群を径の小さいレンズで構成することが容易になり、当該ズームレンズの径方向の小型化を図ることが容易になる。これと同時に、当該構成を採用することで、射出瞳位置を像面側に近づけることが容易となり、周辺光量を確保することが容易になる。第３レンズ群及び第４レンズ群の両レンズ群の最も物体側にそれぞれ正レンズが配置されていると、当該効果を得る上でより好ましい。また、当該正レンズの形状は特に限定されるものではないが、物体側に凸面を有することが上記効果を得る上でより好ましい。また、各レンズ群は少なくとも１枚の負レンズを有することが収差補正を行う上で好ましい。
【００１９】
（４）第５レンズ群
第５レンズ群は負の屈折力を有する限り、その具体的なレンズ構成は特に限定されるものではないが、例えば、物体側から順に、負の屈折力を有する第５Ａレンズ群と、正又は負の屈折力を有する第５Ｂレンズ群とから構成することが好ましい。このとき、第５Ａレンズ群を光軸に対して垂直方向に移動可能に構成することで、第５Ａレンズ群を防振群として用いることができる。すなわち、手振れ等により当該ズームレンズに振動が生じた場合には、第５Ａレンズ群を光軸に対して垂直方向に移動させることで、振動に伴う像ブレを補正することができる。
【００２０】
当該ズームレンズでは、第３レンズ群及び第４レンズ群はいずれも正の屈折力を有するため、第５Ａレンズ群には、第３レンズ群及び第４レンズ群において収束された光束が入射する。そのため、第５Ａレンズ群は径の小さなレンズで構成することができる。従って、第５Ａレンズ群を防振群とすることで、防振群の小型化及び軽量化を図ることが容易になり、さらに、防振群を光軸に対して垂直方向に移動させるための駆動機構の小型化及び軽量化を図ることもできる。これらのことから、ズームレンズユニット全体の小型化及び軽量化を図ることができる。
【００２１】
第５レンズ群は少なくとも２枚の正レンズを有することが望ましい。負の屈折力を有する第５レンズ群に少なくとも２枚の正レンズを配置することによって、第５レンズ群より像側に配置されるレンズ群の径小化を図ることができ、周辺光量を確保することがより容易になる。当該効果を得る上で、当該第５レンズ群の像側に正レンズが配置されることが好ましく、第５レンズ群の最も像側に正レンズが配置されることがより好ましい。第５レンズ群が上記第５Ａレンズ群と上記第５Ｂレンズ群とから構成される場合、例えば、第５Ａレンズ群と、第５Ｂレンズ群がそれぞれ１枚の正レンズを有することが好ましく、第５Ｂレンズ群においては、その最も像側に正レンズが配置されることが上記効果を得る上でより好ましい。
【００２２】
（５）第６レンズ群
第６レンズ群の屈折力は正又は負のいずれであってもよいが、後述する条件式（２）及び条件式（５）を満足することが好ましい。第６レンズ群が正の屈折力を有する場合、第２レンズ群で発生する負の歪曲収差を第６レンズ群で正の歪曲収差を発生させることによりキャンセルさせることが可能となる。当該観点から、第６レンズ群は正の屈折力を有することがより好ましい。
【００２３】
（６）その他のレンズ群
当該ズームレンズは、第６レンズ群の像側に第７レンズ群等の他のレンズ群を備えていてもよい。すなわち、当該ズームレンズは正・負・正・正・負・正又は正・負・正・正・負・負の６群構成に限定されるものではなく、第６レンズ群の像側に正又は負の屈折力を有するレンズ群を一つ以上備えていてもよい。
【００２４】
但し、当該ズームレンズを構成するレンズ群の数が増加すると、当該ズームレンズの小型化及び軽量化を図ることが困難になる。また、当該ズームレンズを構成するレンズ群の数が増加すると、ズーミングの際に各レンズ群を移動するためのズーム機構が複雑になるため、ズームレンズユニット全体も大型化しやすくなる。これらの観点から、当該ズームレンズを構成するレンズ群の数は、６〜８であることが好ましく、６又は７であることが好ましい。
【００２５】
また、周辺光量を確保しつつ、歪曲収差を良好に補正するという観点から、第６レンズ群の像側に配置されるレンズ群は正の屈折力を有することが好ましい。
【００２６】
（７）開口絞り
本実施の形態のズームレンズでは、例えば、第３レンズ群の物体側又は像面側、或いは第３レンズ群内に開口絞りを配置することが好ましく、特に、第３レンズ群の物体側に開口絞りを配置することが好ましい。第３レンズ群の物体側に開口絞りを配置すると、広角端における第１レンズ群の有効径を小さくすることが容易となり、周辺光量の確保とフィルター径の径小化の両立を図ることができる。
【００２７】
１−２．動作
（１）ズーミング
当該ズームレンズでは、上述したとおり、各レンズ群間の光軸上の間隔を変化させることにより変倍する。ズーミングの際に各レンズ群間の光軸上の間隔が変化すればよく、全てのレンズ群が光軸方向に移動してもよいし、一部のレンズ群が光軸方向に固定されていてもよい。各レンズ群の移動量や移動の方向は、所望の変倍比を実現することができる限り、特に限定されるものではないが、例えば、次のようにすることが好ましい。
【００２８】
広角端から望遠端へのズーミングに際して、第１レンズ群、第３レンズ群、第４レンズ群、第５レンズ群及び第６レンズ群は、広角端における光軸上の位置よりも望遠端では物体側に位置するようにこれらのレンズ群が光軸上を移動することが好ましい。このように各レンズ群を移動させることで、広角端における光学全長方向の小型化を図ることが容易になる。また、広角端における光学全長を短くすることで、広角端における周辺光量を確保することが容易になる。なお、ズーミングの際の第１レンズ群、第３レンズ群、第４レンズ群、第５レンズ群及び第６レンズ群の移動の軌跡は直線的であってもよいし、像側又は物体側に一旦移動した後、その逆の方向に移動してもよい。すなわち、像側又は物体側に凸の軌跡を描くように移動してもよい。また、さらに、Ｓ字状又は逆Ｓ字状の軌跡を描くように移動してもよい。すなわち、各レンズ群（第１レンズ群、第３レンズ群、第４レンズ群、第５レンズ群及び第６レンズ群）の移動の軌跡は、各レンズ群の位置が広角端よりも望遠端の方が物体側に位置している限り、特に限定されるものではなく、どのように移動してもよい。
【００２９】
当該ズームレンズの高変倍化を図ると共に、ズーム全域において収差変動を抑制するには、広角端から望遠端へのズーミングに際して、所定の中間焦点距離位置までは第２レンズ群を像側に移動させ、その後、所定の中間焦点距離位置から望遠端に向けて、第２レンズ群を物体側に移動させることが好ましい。このように、広角端から所定の中間焦点距離位置までは第２レンズ群を像側に移動させることで、広角側のズーム域においては第３レンズ群から最終レンズ群までの合成変倍比を強めることができる。つまり、広角側のズーム域においては、第３レンズ群以降のレンズ群の移動量を抑えながら広角端から所定の中間焦点距離位置まで変倍することができる。そして、所定の中間焦点距離位置から第２レンズ群を物体側に移動させることで、第２レンズ群の変倍作用を適切に保ちながら変倍させることができる。したがって、各レンズ群の変倍負担に無理が生じにくく、収差変動を抑制しつつ、高変倍化が可能となる。
【００３０】
さらに、ズーミングに際して、第２レンズ群を上記所定の中間焦点距離位置から望遠端に向けて物体側へ移動した後、再度、像側へ移動させても良い。すなわち、広角端から望遠端へのズーミングに際して、第２レンズ群を広角端から第１の中間焦点距離位置までは像側に移動させ、第１の中間焦点距離位置から第２の中間焦点距離位置までは物体側に移動させ、第２の中間焦点距離位置から望遠端に向けて再度像側に移動させてもよい。広角端から望遠端に向けて第２レンズ群をこのようにＳ字状に移動させることで、望遠端における当該ズームレンズの光学全長を抑えることができ、高変倍比を実現しつつ、当該ズームレンズの小型化を図ることが容易になる。
【００３１】
なお、広角端における当該ズームレンズの焦点距離をｆｗ、望遠端における当該ズームレンズの焦点距離をｆｔとし、上記第１の中間焦点距離位置における焦点距離をｆｍ１、上記第２の中間焦点距離位置における焦点距離をｆｍ２としたとき、以下の関係を満たすことが好ましい。
ｆｗ  ＜  ｆｍ１  ≦  （ｆｗ×ｆｔ）１／２
（ｆｗ×ｆｔ）１／２  ＜  ｆｍ２  ＜  ｆｔ
【００３２】
また、広角端から望遠端へのズーミングに際して、第３レンズ群と第４レンズ群との間の光軸上の間隔が狭くなるように第３レンズ群及び第４レンズ群を移動させることが好ましい。広角端において、第３レンズ群と第４レンズ群との間の光軸上の間隔を広くすることで、第２レンズ群から射出された発散光を正の屈折力を有する第３レンズ群及び第４レンズ群により効果的に収束させることができるため、第３レンズ群以降のレンズ群の有効径を小さく抑えることができ、周辺光量を確保することが容易になる。
【００３３】
さらに、広角端から望遠端へのズーミングに際して、第１レンズ群と第２レンズ群と間の光軸上の間隔が大きくなり、第２レンズ群と第３レンズ群との間の光軸上の間隔が小さくなり、第４レンズ群と第５レンズ群との間の光軸上の間隔が大きくなり、第５レンズ群と第６レンズ群との間の光軸上の間隔が小さくなるように各レンズ群が移動することが好ましい。ズーミングの際に各レンズ群をこのように移動させることで、各群の変倍作用に無理が生じにくくなり、高倍率化と高性能化の両立が可能となる。
【００３４】
さらに、広角端から望遠端へのズーミングに際し、第４レンズ群と第６レンズ群とを同一の軌跡で移動させることが好ましい。第４レンズ群と第６レンズ群とを同一の軌跡で移動させることにより、第４レンズ群と第６レンズ群とを一体構造とすることができる。ズームレンズでは、通常、鏡筒を二重又は多重の入れ子構造にして、内筒又は外筒の側面に設けられたカム溝にピンを係合させた状態で、内筒又は外筒を回転させることで、各レンズ群の位置を変化させる。第４レンズ群と第６レンズ群とを一体構造とすることで、このカム構造の簡素化を図ることができ、鏡筒の小型化が容易となる。さらに、第４レンズ群と第６レンズ群とを一体構造とすることで、ズーミングの際に発生し得る第４レンズ群と第６レンズ群の相対偏心を小さく抑えることができるため、製造誤差による光学性能劣化を抑制することができる。なお、同一の軌跡で移動させるとは、すなわち、第４レンズ群と第６レンズ群との光軸上の間隔がズーミングの際に変化せず、いずれのズームポジションにおいても同じ間隔であることを指す。
【００３５】
（２）フォーカシング
本実施の形態のズームレンズでは、無限遠物体から近接物体へのフォーカシングの際に第２レンズ群を光軸上に移動させることが好ましい。強い負の屈折力が配置される第２レンズ群をフォーカス群とすることで、フォーカシングの際の第２レンズ群の移動量を小さくすることができ、光学全長の小型化が容易になる。
【００３６】
１−３．条件式
当該ズームレンズは、上述した構成を採用すると共に、次に説明する条件式を少なくとも１つ以上満足することが望ましい。
【００３７】
１−３−１．条件式（１）
０．１０  ≦  ｆ３４ｗ／｜ｆ５｜  ≦  ０．７５  ・・・（１）
但し、
ｆ３４ｗ：  広角端における第３レンズ群から第４レンズ群までの合成焦点距離
ｆ５    ：  第５レンズ群の焦点距離
【００３８】
条件式（１）は広角端における第３レンズ群と第４レンズ群の合成焦点距離と、第５レンズ群の焦点距離との比を規定するための条件式である。条件式（１）を満足することで、広角端においても周辺光量の確保が容易になり、且つ、高い光学性能を有するズームレンズを得ることができる。
【００３９】
これに対して、条件式（１）の数値が下限値以下になると、広角端において周辺光量を確保することは容易となるが、第３レンズ群から第５レンズ群で発生する諸収差、特に望遠端における球面収差を良好に補正することが困難になる。また、この場合、広角端における当該ズームレンズのバックフォーカスが短くなる。そのため、当該ズームレンズを一眼レフレックスカメラ用の交換レンズに適用する場合は、適切なバックフォーカスを確保することが困難になる。条件式（１）の上限を超えると、第３レンズ群から第５レンズ群の正の合成屈折力が弱くなるため、射出瞳位置を像面側に近づけることが困難になり、周辺光量を確保することが困難になる。
【００４０】
上記効果を得る上で、条件式（１）の上限値は０．７０であることが好ましく、０．６５であることがより好ましく、０．６０であることがさらに好ましい。また、条件式（１）の下限値は０．１５であることが好ましく、０．２０であることがより好ましい。
【００４１】
１−３−２．条件式（２）
−０．５  ≦  ｆｗ／ｆ５ｉｗ  ≦  ０．２  ・・・（２）
但し、
ｆｗ    ：  広角端における当該ズームレンズの焦点距離
ｆ５ｉｗ：  広角端における第５レンズ群から当該ズームレンズにおいて最も像側に配置されるレンズ群までの合成焦点距離
【００４２】
条件式（２）は広角端における当該ズームレンズの焦点距離と、広角端における第５レンズ群から最像側レンズ群までの合成焦点距離との比を規定するための条件式である。条件式（２）を満足することで、当該ズームレンズの全長方向の小型化を図りつつ、広角端においても像面湾曲が良好に補正されたズームレンズを実現することが可能になる。
【００４３】
これに対して、条件式（２）の数値が下限値以下になると、当該ズームレンズのテレフォト傾向が強くなる。すなわち、望遠比が小さくなり過ぎる。この場合、ズーミングの際の各レンズ群の移動量を抑えることができるため、全長方向の小型化を図る上では好ましい。しかしながら、広角端ではオーバーの像面湾曲が大きく発生するため、収差補正のために多くのレンズ枚数が必要となる。条件式（２）の数値が上限値以上になると、テレフォト傾向が弱まるため、ズーミングの際の各レンズ群の移動量が増え、全長方向の小型化を図ることが困難にある。また、広角端ではアンダーの像面湾曲が大きく発生するため、収差補正のために多くのレンズ枚数が必要となる。
【００４４】
上記効果を得る上で、条件式（２）の上限値は０．１であることが好ましく、０．０であることがより好ましい。また、条件式（２）の下限値は−０．４０であることが好ましく、−０．３５であることがより好ましく、−０．３０であることがさらに好ましい。
【００４５】
１−３−３．条件式（３）
２．５  ≦  ｆ１／ｆｗ  ≦  ９．０  ・・・（３）
但し、
ｆ１  ：  第１レンズ群の焦点距離
ｆｗ  ：  広角端における当該ズームレンズの焦点距離
【００４６】
条件式（３）は第１レンズ群の焦点距離と広角端における当該ズームレンズの焦点距離との比を規定するための条件式である。条件式（３）を満足することで、当該ズームレンズの小型化を図りつつ、広角化（例えば、半画角で４０度以上）を実現できる。
【００４７】
これに対して、条件式（３）の数値が下限値以下になると、第１レンズ群の屈折力が強いため、ズーミングの際の第１レンズ群の移動量を小さくすることができ、当該ズームレンズの全長方向の小型化を図る上では有利である。しかしながら、広角端において所定の画角を実現することが困難になる。広角端で所定の画角を実現するには第２レンズ群の負の屈折力を強くする必要があり、その場合、像面湾曲の補正が困難になる。一方、条件式（３）の数値が上限値以上になると、第１レンズ群の屈折力が弱いため、高変倍比を実現するにはズーミングの際の第１レンズ群の移動量が大きくなる。また、絞り径及び第３レンズ群以降のレンズ群も径大化するため、当該ズームレンズの小型化を図ることが困難になる。
【００４８】
上記効果を得る上で、条件式（３）の上限値は８．０であることが好ましく、７．０であることがより好ましく、６．０であることがさらに好ましい。また、条件式（３）の下限値は３．５であることが好ましく、４．０であることがより好ましく、４．５であることがさらに好ましい。
【００４９】
１−３−４．条件式（４）
４．０  ≦  Ｔ３ｗ／Ｙ  ≦  ８．０  ・・・（４）
但し、
Ｔ３ｗ：  広角端における第３レンズ群の最も物体側の面から結像面までの光軸上の距離
Ｙ    ：  広角端における最大像高
【００５０】
条件式（４）を満足することで、ズーム全域における収差変動を抑制しつつ、当該ズームレンズの広角端における広角化と高変倍化とを実現することができる。これに対して、条件式（４）の数値が下限値以下になると、広角化を図ることは容易になるが、ズーミングの際の収差変動を抑制しつつ高変倍化を図ることが困難になる。一方、条件式（４）の数値が上限値以上になると、広角端における当該ズームレンズの光学全長が長くなるため、周辺光量を確保することが困難になる。
【００５１】
上記効果を得る上で、条件式（４）の上限値は７．０であることが好ましく、６．５であることがより好ましく、６．０であることがさらに好ましい。また、条件式（４）の下限値は４．３であることが好ましく、４．５であることがより好ましい。
【００５２】
１−３−５．条件式（５）
−０．１０  ≦  ｆ３４５ｗ／ｆ６ｉｗ  ≦  ０．７０  ・・・（５）
但し、
ｆ３４５ｗ：  広角端における第３レンズ群から第５レンズ群までの合成焦点距離
ｆ６ｉｗ  ：  広角端における、第６レンズ群から当該ズームレンズにおいて最も像側に配置されるレンズ群までの合成焦点距離
【００５３】
条件式（５）は広角端における第３レンズ群から第５レンズ群までの合成焦点距離と、第６レンズ群から当該ズームレンズにおいて最も像側に配置されるレンズ群までの合成焦点距離との比を規定するための条件式である。条件式（５）を満足することで、広角端においても周辺光量の確保が容易になる。ここで、一般に、ズームレンズの広角端において広角化を図った場合、歪曲収差の補正が困難である。広角端において歪曲収差を良好に補整するには、第２レンズ群で発生する負の歪曲収差を、第３レンズ群以降に配置されるレンズ群により正の歪曲収差を発生させることにより、キャンセルする必要がある。特に、当該ズームレンズにおいてより像側に配置される第６レンズ群以降のレンズ群は、他のレンズ群と比較すると正の歪曲収差を最も発生させ易い。そこで、条件式（５）を満足する範囲内とすることで、第３レンズ群から第５レンズ群までの合成屈折力と、第６レンズ群以降のレンズ群による合成屈折力との比が適切なものとなり、広角端においても歪曲収差を良好に補正することができ、ズーム域全域において高い光学性能を有するズームレンズを得ることができる。
【００５４】
これに対して、条件式（５）の数値が下限値以下になると、第３レンズ群以降のレンズ群における正の歪曲収差の発生量が小さくなり、広角端において当該ズームレンズの歪曲収差を良好に補正することが困難になる。一方、条件式（５）の数値が上限値以上になると、第３レンズ群から第５レンズ群の正の合成屈折力が弱くなるため、射出瞳位置を像面側に近づけることが困難になり、周辺光量を確保することが困難になる。
【００５５】
上記効果を得る上で、条件式（５）の上限値は０．６５であることが好ましく、０．６０であることがより好ましく、０．５５であることがさらに好ましい。また、条件式（５）の下限値は０．０であることが好ましく、０．１０であることがより好ましい。
【００５６】
１−３−６．条件式（６）
０．０４  ≦  ｜ｆ２｜／ｆｔ  ≦  ０．２１  ・・・（６）
但し、
ｆ２ ：  第２レンズ群の焦点距離
ｆｔ ：  望遠端における当該ズームレンズの焦点距離
【００５７】
条件式（６）は第２レンズ群の焦点距離と望遠端における当該ズームレンズの焦点距離との比を規定するための条件式である。条件式（６）を満足することで、良好な光学性能を得つつ、所定の変倍比を確保することができる。
【００５８】
これに対して、条件式（６）の数値が下限値以下になると、第２レンズ群の負の屈折力が適切な範囲を超えて強くなり過ぎ、歪曲収差及び像面湾曲の補正が困難となる。一方、条件式（６）の数値が上限値以上になると、所定の変倍比を実現することが困難になる。所定の変倍比を得るには、第１レンズ群の屈折力を弱くする必要があり、それに伴い、ズーミングの際の第１レンズ群の移動量が増大するため、当該ズームレンズの全長の短縮が困難となる。
【００５９】
上記効果を得る上で、条件式（６）の上限値は０．２０であることが好ましく、０．１９であることがより好ましい。また、条件式（６）の下限値は０．０６であることが好ましく、０．０７であることがより好ましい。
【００６０】
１−３−７．条件式（７）
−６．０  ≦  Ｃｒ２ｒ／ｆｗ  ≦  −０．９  ・・・（７）
但し、
Ｃｒ２ｒ：  第２レンズ群の最も像側の面の曲率半径
ｆｗ    ：  広角端における当該ズームレンズの焦点距離
【００６１】
条件式（７）は第２レンズ群の最も像側の面の曲率半径と広角端における当該ズームレンズの焦点距離との比を規定するための条件式である。条件式（７）を満足することで、ズーム全域で球面収差とコマ収差とをバランスよく補正することができる。
【００６２】
条件式（７）の数値が下限値以下になると、ズーム域の広角側においてコマ収差の補正が困難となる。条件式（７）の数値が上限値以上になると、ズーム域の望遠側で球面収差の補正が困難となる。
【００６３】
条件式（７）の上限値は−１．０であることが好ましく、−１．１であることがより好ましく、−１．２であることがさらに好ましい。また、条件式（７）の下限値は−５．５であることが好ましく、−５．０であることがより好ましい。
【００６４】
１−３−８．条件式（８）
１．４５  ≦  ＢＦｗ／Ｙ  ・・・（８）
但し、
ＢＦｗ：  広角端における当該ズームレンズのバックフォーカス
Ｙ    ：  広角端における最大像高
【００６５】
条件式（８）は広角端における当該ズームレンズのバックフォーカスと当該ズームレンズの広角端における最大像高との比を規定するための条件式である。条件式（７）を満足することで、一眼レフレックスカメラ用の交換レンズに要求される適切なバックフォーカスを確保することができる。当該条件式（８）を満足しない場合、当該ズームレンズを一眼レフレックスカメラ用の交換レンズに適用することは困難になる。しかしながら、ミラーレスカメラ等のミラーボックスを備えていない種々の撮像装置の撮像光学系として当該ズームレンズを用いる場合は、広角端における全長方向の小型化を図る上では好ましい。
【００６６】
１−３−９．条件式（９）
１．０  ≦  （ｆｔ／ｆｗ）／Ｆｎｏｍ  ≦  ５．０  ・・・（９）
但し、
ｆｔ    ：  望遠端における当該ズームレンズの焦点距離
ｆｗ    ：  広角端における当該ズームレンズの焦点距離
Ｆｎｏｍ＝（Ｆｎｏｔ×Ｆｎｏｗ）１／２
Ｆｎｏｔ：  望遠端における当該ズームレンズのＦナンバー
Ｆｎｏｗ：  広角端における当該ズームレンズのＦナンバー
【００６７】
条件式（９）は当該ズームレンズの変倍比と中間焦点距離位置におけるＦナンバーとの比を規定するための条件式である。条件式（９）を満足することで、広角化及び高変倍化を実現しつつ、周辺光量が豊富で高い光学性能を有するズームレンズを得ることがより容易になる。
【００６８】
これに対して、条件式（９）の数値が下限値以下になると、変倍比が小さい、またはＦナンバーが暗いため、全長の小型化が容易であり、本件発明に拠らずとも周辺光量を容易に確保することができる。一方、条件式（９）の数値が上限値以上になると、変倍比が高い、又はＦナンバーが明るいため、全長が大型化し易い。従って、十分な周辺光量を確保することが困難となる。
【００６９】
２．撮像装置
次に、本件発明に係る撮像装置について説明する。本件発明に係る撮像装置は、上記本件発明に係るズームレンズと、当該ズームレンズの像面側に当該ズームレンズによって形成された光学像を電気的信号に変換する撮像素子とを備えたことを特徴とする。
【００７０】
ここで、撮像素子等に特に限定はなく、ＣＣＤ（Charge Coupled Device）センサやＣＭＯＳ（Complementary Metal Oxide Semiconductor）センサなどの固体撮像素子等も用いることができる。本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、一眼レフカメラやミラーレスカメラ等のレンズ交換式の撮像装置であってもよいのは勿論である。特に、本件発明に係るズームレンズは交換レンズシステムに好適なバックフォーカスを確保することができる。そのため、光学式ファインダーや、位相差センサ、これらに光を分岐するためのリフレックスミラー等を備えた一眼レフカメラ等の撮像装置に好適である。
【００７１】
次に、実施例を示して本件発明を具体的に説明する。但し、本件発明は以下の実施例に限定されるものではない。
【実施例１】
【００７２】
（１）ズームレンズの光学構成
図１は、本件発明の実施例１のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。開口絞りＳは、第３レンズ群Ｇ３の物体側に、第３レンズ群Ｇ３に隣接して配置される。各レンズ群間の光軸上の間隔を後述するように変化させることでズーミングを行う。
【００７３】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成されている。
【００７４】
第２レンズ群Ｇ２は、物体側から順に、物体側に凸面を向けた負メニスカスレンズＬ４と、両凹レンズＬ５と、両凸レンズＬ６と、像側に凸面を向けた負メニスカスレンズＬ７とから構成されている。負メニスカスレンズＬ４及び負メニスカスレンズＬ７は、どちらも両面が非球面形状のガラスモールド型非球面レンズである。
【００７５】
第３レンズ群Ｇ３は、物体側から順に、両凸レンズＬ８と、両凸レンズＬ９及び両凹レンズＬ１０を接合した接合レンズとから構成されている。両凸レンズＬ８は両面が非球面形状のガラスモールド型非球面レンズである。
【００７６】
第４レンズ群Ｇ４は、物体側から順に、両凸レンズＬ１１と、物体側に凸面を向けた負メニスカスレンズＬ１２及び両凸レンズＬ１３を接合した接合レンズとから構成されている。両凸レンズＬ１１は両面が非球面形状のガラスモールド型非球面レンズである。
【００７７】
第５レンズ群Ｇ５は、負の屈折力を有する第５Ａレンズ群Ｇ５Ａと、正の屈折力を有する第５Ｂレンズ群Ｇ５Ｂとから構成される。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【００７８】
第５Ａレンズ群Ｇ５Ａは、物体側から順に、像側に凸面を向けた正メニスカスレンズＬ１４と両凹レンズＬ１５とを接合した接合レンズから構成されている。第５Ｂレンズ群Ｇ５Ｂは、物体側から順に、像側に凸面を向けた負メニスカスレンズＬ１６と、物体側に凸面を向けた正メニスカスレンズＬ１７とから構成されている。
【００７９】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成される。両凸レンズＬ１８は両面が非球面形状のガラスモールド型非球面レンズである。
【００８０】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動する。ズーミングに際し、第４レンズ群Ｇ４と第６レンズ群Ｇ６とは同一軌跡で移動する。
【００８１】
無限遠物体から近距離物体へのフォーカシングは、第２レンズ群Ｇ２が物体側に移動することで行う。
【００８２】
なお、図１に示す「ＩＰ」は結像面であり、具体的にはＣＣＤセンサ、ＣＭＯＳセンサ等の固体撮像素子の撮像面、或いは、銀塩フィルムのフィルム面等を表す。また、図示は省略するが、結像面ＩＰの物体側にはカバーガラス等の実質的な屈折力を有さない平行平板等を備えていてもよい。これらの点は、他の実施例で示す各レンズ断面図においても同様であるため、以下では説明を省略する。
【００８３】
（２）数値実施例
次に、当該ズームレンズの具体的数値を適用した数値実施例について説明する。表１に当該ズームレンズの面データを示す。表１において、「面番号」は物体側から数えたレンズ面の順番、「Ｒ」はレンズ面の曲率半径、「Ｄ」はレンズ面の光軸上の間隔、「Ｎｄ」はｄ線（波長λ＝５８７．６ｎｍ）に対する屈折率、「ＡＢＶ」はｄ線に対するアッベ数を示している。また、面番号の次の列に表示する「ＡＳＰＨ」は当該レンズ面が非球面であることを表し、「ＳＴＯＰ」は開口絞りを表している。さらに、レンズ面の光軸上の間隔の列に、「Ｄ（０）」、「Ｄ（５）」等と示すのは、当該レンズ面の光軸上の間隔がズーミングの際に変化する可変間隔であることを意味する。なお、各表中の長さの単位は全て「ｍｍ」であり、画角の単位は全て「°」である。また、曲率半径の「０」、「∞（無限大）」は平面を意味する。
【００８４】
表２は、当該ズームレンズの緒元表である。当該緒元表には、無限遠合焦時における当該ズームレンズの焦点距離「ｆ」、Ｆナンバー「Ｆｎｏ」、半画角「ω」、像高「Ｙ」を示す。但し、表２には、左側から順に、広角端、第１の中間焦点距離位置、第２の中間焦点距離位置、望遠端におけるそれぞれの値を示している。なお、第１の中間焦点距離位置、第２の中間焦点距離位置は上記実施の形態で述べた「ｆｍ１」、「ｆｍ２」に相当する。
【００８５】
表３に、無限遠合焦時における当該ズームレンズの光軸上の可変間隔を示す。表３において、左側から順に、広角端、第１の中間焦点距離位置、第２の中間焦点距離位置、望遠端におけるそれぞれの値を示している。なお、表中「ＩＮＦ」は「∞（無限大）」であることを示す。
【００８６】
表４に、撮影距離（撮像距離）が１ｍの近接物体への合焦時における当該ズームレンズの光軸上の可変間隔を示す。表４には、広角端、第１の中間焦点距離位置、第２の中間焦点距離位置、望遠端におけるそれぞれの値を示している。なお、表中「ＩＮＦ」は「∞（無限大）」であることを示す。
【００８７】
表５は、当該ズームレンズを構成する各レンズ群の焦点距離を示している。
【００８８】
表６は、各非球面の非球面係数である。当該非球面係数は、各非球面形状を下記式で定義したときの値である。また、表４９に条件式（１）〜条件式（９）の値を示す。さらに、表５１に条件式（１）〜条件式（９）の値を求めるために必要な各変数の値を示す。
【００８９】
X(Y)=CY2/[1+{1-(1+Κ)・C2Y2}1/2]+A4・Y4+A6・Y6+A8・Y8+A10・Y10+A12・Y12
【００９０】
但し、表６において、「Ｅ−ａ」は「×１０−ａ」を示す。また、上記式において、「Ｘ」は光軸方向の基準面からの変位量、「Ｃ」は面頂点での曲率（Ｃ＝１／Ｒ、「Ｒ」はレンズ面の曲率半径）、「Ｙ」は光軸に垂直な方向の光軸からの高さ、「Κ」はコーニック係数、「Ａｎ」はｎ次の非球面係数とする。
これらの表に関する事項は他の実施例で示す各表においても同様であるため、以下では説明を省略する。
【００９１】
［表１］
面番号        R             D            Nd       ABV
物体面        ∞            D( 0)
1        168.1413        1.2000       1.90525  35.04
2         78.5634        9.7804       1.55032  75.50
3      -1085.4982        0.2000
4         69.9871        7.7008       1.59282  68.62
5        294.5093         D( 5)
6 ASPH   775.4563        1.4000       1.88202  37.22
7 ASPH    19.9294        6.5940
8        -46.1874        0.8000       1.88300  40.80
9         73.0807        0.1500
10         52.8889        6.9648       1.84666  23.78
11        -34.5104        1.5328
12 ASPH   -20.3428        1.1000       1.59201  67.02
13 ASPH   -60.5602         D(13)
14 STOP     0.0000        1.1000
15 ASPH    37.6675        5.2926       1.69350  53.18
16 ASPH  -130.1787        0.5000
17         68.8627        4.3186       1.60562  43.71
18        -92.3248        0.8000       1.90043  37.37
19         50.7360         D(19)
20 ASPH    55.9414        4.0273       1.69350  53.18
21 ASPH  -172.4382        0.2000
22         70.0663        0.8000       1.80610  33.27
23         18.9169        8.6608       1.59282  68.62
24        -65.5234         D(24)
25       -123.0409        3.6480       1.92119  23.96
26        -30.1505        0.8000       1.83481  42.72
27         67.0713        3.1292
28        -62.1691        0.8000       1.85478  24.80
29       -972.1034        0.1500
30         32.5846        3.4561       1.83481  42.72
31         69.6621         D(31)
32 ASPH    72.6925        4.1413       1.88202  37.22
33 ASPH   -72.3787        0.2000
34        341.6149        0.9000       1.88300  40.80
35         19.9702        6.4946       1.59282  68.62
36        169.2609         D(36)
【００９２】
［表２］
f         25.7500       35.0003       84.9975      194.2000
Fno        4.1100        4.1100        4.1100        4.1100
ω        41.3239       31.3438       13.8129        6.1958
Y         21.6330       21.6330       21.6330       21.6330
【００９３】
［表３］
可変間隔 [無限遠合焦時]
D( 0)        INF           INF           INF           INF  
D( 5)       2.6516       10.2769       39.2878       69.2308
D(13)      28.1719       21.4033        9.2791        1.5340
D(19)      11.0934        5.7006        1.2877        1.0000
D(24)       1.3110        1.5313        5.0055        6.7970
D(31)       6.6982        6.4779        3.0036        1.2122
D(36)      38.9534       48.2523       72.6131       80.8584
【００９４】
［表４］
可変間隔 [撮影距離1m合焦時]
D( 0)     824.2793      819.5164      782.6819      752.5264
D( 5)       1.9722        9.4838       37.6244       63.6578
D(13)      28.8513       22.1963       10.9426        7.1069
D(19)      11.0934        5.7006        1.2877        1.0000
D(24)       1.3110        1.5313        5.0055        6.7970
D(31)       6.6982        6.4779        3.0036        1.2122
D(36)      38.9534       48.2523       72.6131       80.8584
【００９５】
［表５］
群番号  焦点距離
G1     126.9517
G2     -18.3892
G3      70.8022
G4      40.8467
G5     -61.6661
G6     105.9160
【００９６】
［表６］
非球面係数
面番号  K       A4            A6            A8            A10           A12
6   0   1.49358E-05  -5.36817E-08   2.42574E-10  -5.47728E-13   5.11973E-16
7   0   1.13348E-05  -4.09578E-08   5.56704E-10  -3.09045E-12   1.60507E-14
12   0   2.62868E-06   6.62000E-08  -2.55918E-10   1.64741E-12  -4.12857E-15
13   0  -3.02234E-06   4.55306E-08  -2.68929E-10   9.38950E-13  -1.75016E-15
15   0  -4.64004E-06  -2.50352E-09  -4.62691E-11  -1.45704E-13  -1.23053E-16
16   0  -2.15567E-07  -4.36027E-09  -1.75783E-11  -3.70200E-13   4.08544E-16
20   0   5.12744E-06   1.94400E-08   2.11119E-11  -1.65298E-13  -3.48964E-16
21   0   7.33689E-06   1.63550E-08   5.92235E-12   3.66504E-15  -1.03913E-15
32   0  -1.08962E-06   2.15556E-09   4.91619E-11  -9.82625E-14   0.00000E+00
33   0   6.92413E-06   3.50540E-09   5.35976E-11  -1.24213E-13   6.01622E-18
【００９７】
また、図２〜図５に当該実施例１のズームレンズの広角端、第１の中間焦点距離位置、第２の中間焦点距離位置、望遠端における無限遠合焦時の縦収差図をそれぞれ示す。各図に示す縦収差図は、図面に向かって左側から順に、それぞれ球面収差（ｍｍ）、非点収差（ｍｍ）、歪曲収差（％）である。球面収差を表す図では、縦軸は開放Ｆ値との割合、横軸にデフォーカスをとり、実線がｄ線（波長587.56nm）、破線がg線（波長435.84nm）における球面収差を示す。非点収差を表す図では、縦軸は半画角、横軸にデフォーカスをとり、実線がｄ線に対するサジタル像面（ｄｓ）、点線がｄ線に対するメリジオナル像面（ｄｍ）を示す。歪曲収差を表す図では、縦軸は半画角、横軸に％をとり、歪曲収差を表す。これらの縦収差図に関する事項は、他の実施例で示す縦収差図においても同様であるため、以下では説明を省略する。
【実施例２】
【００９８】
（１）ズームレンズの光学構成
図６は、本件発明の実施例２のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成されている。開口絞りＳは、第３レンズ群Ｇ３の物体側に、第３レンズ群Ｇ３に隣接して配置される。各レンズ群間の光軸上の間隔を後述するように変化させることでズーミングを行う。
【００９９】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成されている。
【０１００】
第２レンズ群Ｇ２は、物体側から順に、両凹レンズＬ４と、両凹レンズＬ５と、両凸レンズＬ６と、像側に凸面を向けた負メニスカスレンズＬ７とから構成されている。両凹レンズＬ４及び負メニスカスレンズＬ７は、どちらも両面が非球面形状のガラスモールド型非球面レンズである。
【０１０１】
第３レンズ群Ｇ３は、物体側から順に、両凸レンズＬ８と、両凸レンズＬ９及び両凹レンズＬ１０を接合した接合レンズとから構成されている。両凸レンズＬ８は両面が非球面形状のガラスモールド型非球面レンズである。
【０１０２】
第４レンズ群Ｇ４は、物体側から順に、両凸レンズＬ１１と、物体側に凸面を向けた負メニスカスレンズＬ１２及び両凸レンズＬ１３を接合した接合レンズとから構成されている。両凸レンズＬ１１は両面が非球面形状のガラスモールド型非球面レンズである。
【０１０３】
第５レンズ群Ｇ５は、負の屈折力を有する第５Ａレンズ群Ｇ５Ａと、正の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０１０４】
第５Ａレンズ群Ｇ５Ａは、物体側から順に、像側に凸面を向けた正メニスカスレンズＬ１４と両凹レンズＬ１５とを接合した接合レンズから構成されている。第５Ｂレンズ群Ｇ５Ｂは、物体側から順に、両凹レンズＬ１６と、物体側に凸面を向けた正メニスカスレンズＬ１７とから構成されている。
【０１０５】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成される。両凸レンズＬ１８は両面が非球面形状のガラスモールド型非球面レンズである。
【０１０６】
広角端から望遠端へのズーミングに際し、第１レンズ群Ｇ１は物体側に移動し、第２レンズ群Ｇ２はまず像側に移動した後に物体側へ移動し、さらに再度像側に移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動する。ズーミングに際し、第４レンズ群Ｇ４と第６レンズ群Ｇ６とは同一軌跡で移動する。
【０１０７】
無限遠物体から近距離物体へのフォーカシングは、第２レンズ群Ｇ２が物体側に移動することで行う。
【０１０８】
（２）数値実施例
次に、当該ズームレンズの具体的数値を適用した数値実施例について説明する。表７に、当該ズームレンズの面データを示し、表８に当該ズームレンズの緒元表を示す。表９に、無限遠合焦時における当該ズームレンズの光軸上の可変間隔を示し、表１０に、撮影距離（撮像距離）が１ｍの近接物体への合焦時における当該ズームレンズの光軸上の可変間隔を示す。表１１は、当該ズームレンズを構成する各レンズ群の焦点距離を示している。表１２は、各非球面の非球面係数である。また、表４９に条件式（１）〜条件式（９）の値を示す。さらに、表５１に条件式（１）〜条件式（９）の値を求めるために必要な各変数の値を示す。また、図７〜図１０に、当該実施例２のズームレンズの広角端、第１の中間焦点距離位置、第２の中間焦点距離位置、望遠端における無限遠合焦時の縦収差図をそれぞれ示す。
【０１０９】
［表７］
面番号        R             D            Nd       ABV
物体面        ∞            D( 0)
1        162.7368        1.2000       1.90525  35.04
2         78.2170       10.0090       1.55032  75.50
3      -1596.7818        0.2000
4         71.0638        7.9547       1.59282  68.62
5        315.2888         D( 5)
6 ASPH -1732.8335        1.4000       1.88202  37.22
7 ASPH    19.5780        6.6232
8        -49.8637        0.8000       1.88300  40.80
9         94.2188        0.1500
10         61.2249        6.4516       1.84666  23.78
11        -33.7009        1.4319
12 ASPH   -19.7719        1.1000       1.59201  67.02
13 ASPH   -55.2406         D(13)
14 STOP     0.0000        1.1000
15 ASPH    40.3039        4.9199       1.69350  53.18
16 ASPH  -137.3098        0.5000
17        102.0529        4.4081       1.60562  43.71
18        -57.7052        0.8000       1.90043  37.37
19         78.6368         D(19)
20 ASPH    55.6250        3.9148       1.69350  53.18
21 ASPH  -197.7893        0.2000
22         64.4327        0.8000       1.80610  33.27
23         19.0220        8.6802       1.59282  68.62
24        -63.9908         D(24)
25        -90.8216        4.1923       1.92119  23.96
26        -26.6471        0.8000       1.80610  40.93
27         69.5600        1.9142
28       -622.7795        0.8000       1.92119  23.96
29         76.9949        0.1500
30         32.7933        4.2675       1.83400  37.34
31        314.2899         D(31)
32 ASPH   897.8306        2.6109       1.86100  37.10
33 ASPH   -76.9346        0.2000
34        395.7317        0.9000       1.88300  40.80
35         21.9718        6.1464       1.59282  68.62
36        393.0569         D(36)
【０１１０】
［表８］
f         25.7500       35.0001       84.9962      194.2000
Fno        4.1100        4.1100        4.1100        4.1100
ω        41.2805       31.3108       13.8025        6.1710
Y         21.6330       21.6330       21.6330       21.6330
【０１１１】
［表９］
可変間隔 [無限遠合焦時]
D( 0)        INF           INF           INF           INF
D( 5)       2.6928       10.5413       37.6458       69.8539
D(13)      27.2652       20.5370        8.8030        1.5000
D(19)      15.1603       10.3945        2.7559        1.0000
D(24)       1.3000        1.3000        4.2031        6.0235
D(31)       5.9235        5.9235        3.0203        1.2000
D(36)      38.9845       48.2301       75.7221       80.3373
【０１１２】
［表１０］
可変間隔 [撮影距離1m合焦時]
D( 0)     824.0490      818.4490      783.2251      755.4605
D( 5)       1.9849        9.7093       35.9894       63.7979
D(13)      27.9731       21.3689       10.4593        7.5560
D(19)      15.1603       10.3945        2.7559        1.0000
D(24)       1.3000        1.3000        4.2031        6.0235
D(31)       5.9235        5.9235        3.0203        1.2000
D(36)      38.9845       48.2301       75.7221       80.3373
【０１１３】
［表１１］
群番号  焦点距離
G1     127.1215
G2     -18.7131
G3      74.6645
G4      39.6042
G5    -132.3389
G6   -5186.2201
【０１１４】
［表１２］
非球面係数
面番号  K       A4            A6            A8            A10           A12
6   0   2.14357E-05  -7.92634E-08   2.94589E-10  -6.18901E-13   5.22977E-16
7   0   1.71441E-05  -3.90128E-08   6.60403E-10  -3.64089E-12   1.98235E-14
12   0   7.28409E-06   1.06101E-07  -3.17015E-10   8.71656E-13  -1.66962E-15
13   0  -7.54145E-07   6.12783E-08  -3.27965E-10   2.59437E-13   4.34789E-16
15   0  -5.18719E-06   2.40256E-10  -4.25997E-11  -1.03513E-13  -6.44623E-16
16   0  -1.23689E-06  -5.35601E-09  -6.67721E-12  -3.40933E-13  -1.08958E-16
20   0   6.85582E-06   5.63005E-09   1.33628E-11  -7.11626E-14  -5.67359E-16
21   0   9.85944E-06   4.53441E-09  -2.30120E-11   1.88092E-13  -1.26892E-15
32   0   6.67356E-07   3.52863E-09   4.08570E-11   6.51104E-13   0.00000E+00
33   0   7.54058E-06   6.04742E-09   9.23200E-11   1.94675E-13   1.54376E-15
【実施例３】
【０１１５】
（１）ズームレンズの光学構成
図１１は、本件発明の実施例３のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。開口絞りＳは、第３レンズ群Ｇ３の物体側に、第３レンズ群Ｇ３に隣接して配置される。
【０１１６】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成されている。
【０１１７】
第２レンズ群Ｇ２は、物体側から順に、両凹レンズＬ４と、両凹レンズＬ５と、両凸レンズＬ６と、像側に凸面を向けた負メニスカスレンズＬ７とから構成されている。両凹レンズＬ４及び負メニスカスレンズＬ７は、どちらも両面が非球面形状のガラスモールド型非球面レンズである。
【０１１８】
第３レンズ群Ｇ３は、物体側から順に、両凸レンズＬ８と、両凸レンズＬ９及び両凹レンズＬ１０を接合した接合レンズとから構成されている。両凸レンズＬ８は両面が非球面形状のガラスモールド型非球面レンズである。
【０１１９】
第４レンズ群Ｇ４は、物体側から順に、両凸レンズＬ１１と、物体側に凸面を向けた負メニスカスレンズＬ１２及び両凸レンズＬ１３とを接合した接合レンズとから構成されている。両凸レンズＬ１１は両面が非球面形状のガラスモールド型非球面レンズである。
【０１２０】
第５レンズ群Ｇ５は、負の屈折力を有する第５Ａレンズ群Ｇ５Ａと、正の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０１２１】
第５Ａレンズ群Ｇ５Ａは、物体側から順に、像側に凸面を向けた正メニスカスレンズＬ１４と両凹レンズＬ１５とを接合した接合レンズから構成されている。第５Ｂレンズ群Ｇ５Ｂは、物体側から順に、物体側に凸面を向けた負メニスカスレンズＬ１６と、物体側に凸面を向けた正メニスカスレンズＬ１７とから構成されている。
【０１２２】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成されている。両凸レンズＬ１８は両面が非球面形状のガラスモールド型非球面レンズである。
【０１２３】
広角端から望遠端へのズーミングに際し、第１レンズ群Ｇ１は物体側に移動し、第２レンズ群Ｇ２はまず像側に移動した後に物体側へ移動し、さらに再度像側に移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動する。ズーミングに際し、第４レンズ群Ｇ４と第６レンズ群Ｇ６とは同一軌跡で移動する。
【０１２４】
無限遠物体から近距離物体へのフォーカシングは、第２レンズ群Ｇ２が物体側に移動することで行う。
【０１２５】
（２）数値実施例
次に、当該ズームレンズの具体的数値を適用した数値実施例について説明する。表１３に、当該ズームレンズの面データを示し、表１４に当該ズームレンズの緒元表を示す。表１５に、無限遠合焦時における当該ズームレンズの光軸上の可変間隔を示し、表１６に、撮影距離（撮像距離）が１ｍの近接物体への合焦時における当該ズームレンズの光軸上の可変間隔を示す。表１７は、当該ズームレンズを構成する各レンズ群の焦点距離を示している。表１８は、各非球面の非球面係数である。また、表４９に条件式（１）〜条件式（９）の値を示す。さらに、表５１に条件式（１）〜条件式（９）の値を求めるために必要な各変数の値を示す。また、図１２〜図１５に、当該実施例３のズームレンズの広角端、第１の中間焦点距離位置、第２の中間焦点距離位置、望遠端における無限遠合焦時の縦収差図をそれぞれ示す。
【０１２６】
［表１３］
面番号        R             D            Nd       ABV
物体面        ∞            D( 0)
1        165.8099        1.2000       1.90525  35.04
2         78.5522       10.3743       1.55032  75.50
3      -1525.1834        0.2000
4         74.1857        8.2597       1.59282  68.62
5        403.0533         D( 5)
6 ASPH -1119.9809        1.4000       1.88202  37.22
7 ASPH    20.0089        6.2700
8        -48.8826        0.8000       1.88300  40.80
9         72.0626        0.1500
10         50.5688        5.4600       1.84666  23.78
11        -34.1247        1.4497
12 ASPH   -20.2008        1.1000       1.59201  67.02
13 ASPH   -62.3139         D(13)
14 STOP     0.0000        1.1000
15 ASPH    38.1831        4.4898       1.69350  53.18
16 ASPH  -273.8063        0.5000
17         56.0765        4.5994       1.60342  38.03
18        -78.8630        0.8000       1.90043  37.37
19         52.0652         D(19)
20 ASPH    47.7060        4.2066       1.69350  53.18
21 ASPH  -155.7317        0.2000
22         82.5322        0.8000       1.80610  33.27
23         18.2822        7.7078       1.59282  68.62
24       -118.8617         D(24)
25        -93.7602        4.1230       1.92119  23.96
26        -25.9363        0.8000       1.80100  34.97
27         69.8628        1.7851
28        646.3636        0.8000       1.92286  20.88
29         90.8524        0.1500
30         33.1074        3.8277       1.85026  32.27
31         89.7183         D(31)
32 ASPH    92.2830        3.2232       1.85135  40.10
33 ASPH  -138.4016        0.2000
34         95.9868        0.9000       1.88300  40.80
35         21.3124        6.5845       1.59282  68.62
36        236.0908         D(36)
【０１２７】
［表１４］
f         25.7500       35.0001       84.9907      194.2000
Fno        4.1100        4.1100        4.1100        4.1100
ω        41.2947       31.3308       13.8106        6.1753
Y         21.6330       21.6330       21.6330       21.6330
【０１２８】
［表１５］
可変間隔 [無限遠合焦時]
D( 0)        INF           INF           INF           INF  
D( 5)       2.6507       10.4002       38.3957       70.5925
D(13)      26.9869       20.4993        8.7555        1.5000
D(19)       8.3988        4.3124        1.0359        1.0000
D(24)       1.4475        2.1914        6.8713        8.9980
D(31)       8.7505        8.0066        3.3266        1.2000
D(36)      40.6544       49.6830       77.8602       83.6360
【０１２９】
［表１６］
可変間隔 [撮影距離1m合焦時]
D( 0)     827.6503      821.4461      780.2937      749.6125
D( 5)       1.9836        9.6189       36.7997       64.7755
D(13)      27.6540       21.2806       10.3516        7.3170
D(19)       8.3988        4.3124        1.0359        1.0000
D(24)       1.4475        2.1914        6.8713        8.9980
D(31)       8.7505        8.0066        3.3266        1.2000
D(36)      40.6544       49.6830       77.8602       83.6360
【０１３０】
［表１７］
群番号  焦点距離
G1     127.5714
G2     -18.2939
G3      77.3367
G4      46.5886
G5    -113.2981
G6     113.8204
【０１３１】
［表１８］
非球面係数
面番号  K       A4            A6            A8            A10           A12
6   0   2.03882E-05  -8.09970E-08   3.34113E-10  -7.05472E-13   6.00364E-16
7   0   1.66583E-05  -6.53023E-08   8.35606E-10  -5.07095E-12   2.49529E-14
12   0   2.81623E-06   7.95236E-08  -2.95493E-10   1.75821E-12  -4.15850E-15
13   0  -3.15010E-06   5.06987E-08  -2.84964E-10   7.30040E-13  -8.65524E-16
15   0  -4.71032E-06  -6.62268E-09  -6.22322E-11  -1.00031E-13  -6.29671E-16
16   0  -9.91330E-07  -1.21087E-08  -2.36708E-11  -3.87355E-13   7.78766E-17
20   0   6.36783E-06   1.09272E-08   2.98676E-11  -7.55697E-14  -6.59365E-16
21   0   8.91180E-06   1.12400E-08  -1.00281E-11   1.94586E-13  -1.55387E-15
32   0   9.61010E-07  -8.43995E-10  -1.08654E-11   5.30986E-14   0.00000E+00
33   0   6.48793E-06   1.43901E-09   1.97788E-11  -1.27897E-13   3.58924E-16
【実施例４】
【０１３２】
（１）ズームレンズの光学構成
図１６は、本件発明の実施例４のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。開口絞りＳは、第３レンズ群Ｇ３の物体側に、第３レンズ群Ｇ３に隣接して配置される。
【０１３３】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成されている。
【０１３４】
第２レンズ群Ｇ２は、物体側から順に、両凹レンズＬ４と、両凹レンズＬ５と、両凸レンズＬ６と、像側に凸面を向けた負メニスカスレンズＬ７とから構成されている。両凹レンズＬ４及び負メニスカスレンズＬ７は、どちらも両面が非球面形状のガラスモールド型非球面レンズである。
【０１３５】
第３レンズ群Ｇ３は、物体側から順に、両凸レンズＬ８と、両凸レンズＬ９及び両凹レンズＬ１０を接合した接合レンズとから構成されている。両凸レンズＬ８は両面が非球面形状のガラスモールド型非球面レンズである。
【０１３６】
第４レンズ群Ｇ４は、物体側から順に、両凸レンズＬ１１と、物体側に凸面を向けた負メニスカスレンズＬ１２及び両凸レンズＬ１３を接合した接合レンズとから構成されている。両凸レンズＬ１１は両面が非球面形状のガラスモールド型非球面レンズである。
【０１３７】
第５レンズ群Ｇ５は、負の屈折力を有する第５Ａレンズ群Ｇ５Ａと、正の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０１３８】
第５Ａレンズ群Ｇ５Ａは、物体側から順に、像側に凸面を向けた正メニスカスレンズＬ１４と両凹レンズＬ１５とを接合した接合レンズから構成されている。第５Ｂレンズ群Ｇ５Ｂは、物体側から順に、両凹レンズＬ１６と、物体側に凸面を向けた正メニスカスレンズＬ１７とから構成されている。
【０１３９】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成されている。両凸レンズＬ１８は両面が非球面形状のガラスモールド型非球面レンズである。
【０１４０】
広角端から望遠端へのズーミングに際し、第１レンズ群Ｇ１は物体側に移動し、第２レンズ群Ｇ２はまず像側に移動した後に物体側へ移動し、さらに再度像側に移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動する。ズーミングに際し、第４レンズ群Ｇ４と第６レンズ群Ｇ６とは同一軌跡で移動する。
【０１４１】
無限遠物体から近距離物体へのフォーカシングは、第２レンズ群Ｇ２が物体側に移動することで行う。
【０１４２】
（２）数値実施例
次に、当該ズームレンズの具体的数値を適用した数値実施例について説明する。表１９に、当該ズームレンズの面データを示し、表２０に当該ズームレンズの緒元表を示す。表２１に、無限遠合焦時における当該ズームレンズの光軸上の可変間隔を示し、表２２に、撮影距離（撮像距離）が１ｍの近接物体への合焦時における当該ズームレンズの光軸上の可変間隔を示す。表２３は、当該ズームレンズを構成する各レンズ群の焦点距離を示している。表２４は、各非球面の非球面係数である。また、表４９に条件式（１）〜条件式（９）の値を示す。さらに、表５１に条件式（１）〜条件式（９）の値を求めるために必要な各変数の値を示す。また、図１７〜図２０に、当該実施例４のズームレンズの広角端、第１の中間焦点距離位置、第２の中間焦点距離位置、望遠端における無限遠合焦時の縦収差図をそれぞれ示す。
【０１４３】
［表１９］
面番号        R             D            Nd       ABV
物体面        ∞            D( 0)
1        167.7189        1.2000       1.90525  35.04
2         78.9477       10.1259       1.55032  75.50
3      -1164.3309        0.2000
4         70.1709        7.9668       1.59282  68.62
5        292.0087         D( 5)
6 ASPH  -707.4427        1.4000       1.88202  37.22
7 ASPH    19.9071        6.7373
8        -49.3988        0.8000       1.88300  40.80
9        112.0584        0.1500
10         67.4146        6.4608       1.84666  23.78
11        -33.6613        1.4663
12 ASPH   -20.0434        1.1000       1.59201  67.02
13 ASPH   -57.0557         D(13)
14 STOP     0.0000        1.1000
15 ASPH    41.4507        4.9155       1.69350  53.18
16 ASPH  -123.9765        0.5000
17         96.5320        4.3807       1.60562  43.71
18        -61.0872        0.8000       1.90043  37.37
19         74.8544         D(19)
20 ASPH    60.9528        3.6710       1.69350  53.18
21 ASPH  -221.7295        0.2000
22         56.4168        0.8000       1.80610  33.27
23         19.3832        9.0368       1.59282  68.62
24        -51.5853         D(24)
25        -86.0054        3.7341       1.92119  23.96
26        -25.9571        0.8000       1.80610  40.93
27         63.9267        1.9337
28       -701.4860        0.8000       1.92119  23.96
29         72.4784        0.1500
30         31.1390        3.5298       1.83400  37.34
31         93.8403         D(31)
32 ASPH   112.4853        3.2751       1.86100  37.10
33 ASPH   -91.6085        0.2000
34        304.2775        0.9000       1.88300  40.80
35         20.6073        5.8802       1.59282  68.62
36        192.2451         D(36)
【０１４４】
［表２０］
f         25.7500       34.9991       85.0069      194.1996
Fno        4.1100        4.1100        4.1100        4.1100
ω        41.2870       31.3505       13.8033        6.1698
Y         21.6330       21.6330       21.6330       21.6330
【０１４５】
［表２１］
可変間隔 [無限遠合焦時]
D( 0)        INF           INF           INF           INF
D( 5)       2.6714       10.4037       38.1312       70.1712
D(13)      28.2291       21.5498        9.3523        1.5000
D(19)      13.9184        8.7942        2.0266        1.0000
D(24)       1.3000        1.3000        3.6475        5.3966
D(31)       5.3797        5.3798        3.0322        1.2829
D(36)      38.9685       48.1406       73.6260       77.5200
【０１４６】
［表２２］
可変間隔 [撮影距離1m合焦時]
D( 0)     825.3189      820.2177      785.9701      758.9152
D( 5)       1.9637        9.5757       36.4672       64.1589
D(13)      28.9368       22.3778       11.0163        7.5124
D(19)      13.9184        8.7942        2.0266        1.0000
D(24)       1.3000        1.3000        3.6475        5.3966
D(31)       5.3797        5.3798        3.0322        1.2829
D(36)      38.9685       48.1406       73.6260       77.5200
【０１４７】
［表２３］
群番号  焦点距離
G1     127.5458
G2     -18.7557
G3      74.0311
G4      36.1870
G5     -66.9363
G6     318.9564
【０１４８】
［表２４］
非球面係数
面番号  K       A4            A6            A8            A10           A12
6   0   2.19436E-05  -7.90817E-08   2.89534E-10  -5.99750E-13   4.87479E-16
7   0   1.75828E-05  -3.02179E-08   5.51020E-10  -2.85297E-12   1.71283E-14
12   0   6.63017E-06   1.01165E-07  -3.21907E-10   9.48979E-13  -1.63158E-15
13   0  -7.28966E-07   5.69247E-08  -3.22801E-10   3.77480E-13   4.88829E-17
15   0  -5.19697E-06   1.84730E-10  -4.15841E-11  -1.04602E-13  -7.37745E-16
16   0  -1.23125E-06  -4.14669E-09  -3.64434E-12  -3.48600E-13  -1.56229E-16
20   0   6.91449E-06   4.55072E-09   9.35590E-12  -5.15720E-14  -6.27900E-16
21   0   1.02834E-05   2.34791E-09  -1.99786E-11   1.71903E-13  -1.30072E-15
32   0   1.05398E-07   1.93354E-09  -4.61850E-12   3.78852E-13   0.00000E+00
33   0   7.25408E-06   5.19700E-09   3.07770E-11   1.01218E-13   7.56227E-16
【実施例５】
【０１４９】
（１）ズームレンズの光学構成
図２１は、本件発明の実施例５のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。開口絞りＳは、第３レンズ群Ｇ３の物体側に、第３レンズ群Ｇ３に隣接して配置される。
【０１５０】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成されている。
【０１５１】
第２レンズ群Ｇ２は、物体側から順に、両凹レンズＬ４と、両凹レンズＬ５と、両凸レンズＬ６と、像側に凸面を向けた負メニスカスレンズＬ７とから構成されている。両凹レンズＬ４及び負メニスカスレンズＬ７は、どちらも両面が非球面形状のガラスモールド型非球面レンズである。
【０１５２】
第３レンズ群Ｇ３は、物体側から順に、両凸レンズＬ８と、両凸レンズＬ９及び両凹レンズＬ１０を接合した接合レンズとから構成されている。両凸レンズＬ８は両面が非球面形状のガラスモールド型非球面レンズである。
【０１５３】
第４レンズ群Ｇ４は、物体側から順に、両凸レンズＬ１１と、物体側に凸面を向けた負メニスカスレンズＬ１２及び両凸レンズＬ１３を接合した接合レンズとから構成されている。両凸レンズＬ１１は両面が非球面形状のガラスモールド型非球面レンズである。
【０１５４】
第５レンズ群Ｇ５は、負の屈折力を有する第５Ａレンズ群Ｇ５Ａと、負の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０１５５】
第５Ａレンズ群Ｇ５Ａは、物体側から順に、像側に凸面を向けた正メニスカスレンズＬ１４と両凹レンズＬ１５とを接合した接合レンズから構成されている。第５Ｂレンズ群Ｇ５Ｂは、物体側から順に、両凹レンズＬ１６と、物体側に凸面を向けた正メニスカスレンズＬ１７とから構成されている。
【０１５６】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成されている。両凸レンズＬ１８は両面が非球面形状のガラスモールド型非球面レンズである。
【０１５７】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動する。ズーミングに際し、第４レンズ群Ｇ４と第６レンズ群Ｇ６は同一軌跡で移動する。
【０１５８】
無限遠物体から近距離物体へのフォーカシングは、第２レンズ群Ｇ２が物体側に移動することで行う。
【０１５９】
（２）数値実施例
次に、当該ズームレンズの具体的数値を適用した数値実施例について説明する。表２５に、当該ズームレンズの面データを示し、表２６に当該ズームレンズの緒元表を示す。表２７に、無限遠合焦時における当該ズームレンズの光軸上の可変間隔を示し、表２８に、撮影距離（撮像距離）が１ｍの近接物体への合焦時における当該ズームレンズの光軸上の可変間隔を示す。表２９は、当該ズームレンズを構成する各レンズ群の焦点距離を示している。表３０は、各非球面の非球面係数である。また、表５０に条件式（１）〜条件式（９）の値を示す。さらに、表５２に条件式（１）〜条件式（９）の値を求めるために必要な各変数の値を示す。また、図２２〜図２５に、当該実施例５のズームレンズの広角端、第１の中間焦点距離位置、第２の中間焦点距離位置、望遠端における無限遠合焦時の縦収差図をそれぞれ示す。
【０１６０】
［表２５］
面番号        R             D            Nd       ABV
物体面        ∞            D( 0)
1        184.8225        1.2000       1.90525  35.04
2         81.1557        9.7335       1.55032  75.50
3       -762.4459        0.2000
4         74.9733        8.2443       1.59282  68.62
5        387.8130         D( 5)
6 ASPH  -682.9006        1.4000       1.88202  37.22
7 ASPH    21.1087        6.8461
8        -48.8171        0.8000       1.88300  40.80
9         74.9074        0.1500
10         52.3578        5.5517       1.84666  23.78
11        -34.6820        0.9913
12 ASPH   -25.3062        1.1000       1.59201  67.02
13 ASPH  -150.0000         D(13)
14 STOP     0.0000        1.1000
15 ASPH    38.6048        4.3938       1.69304  52.93
16 ASPH  -134.1112        0.5000
17         71.0855        3.7891       1.59551  39.24
18        -81.1769        0.8000       1.90366  31.31
19         56.0233         D(19)
20 ASPH    42.1002        3.5632       1.69304  52.93
21 ASPH -1845.6420        0.2000
22         59.3146        0.8000       1.80610  40.93
23         16.8751        8.0654       1.59282  68.62
24        -51.5148         D(24)
25        -98.5981        3.2973       1.92119  23.96
26        -30.5403        0.8000       1.79952  42.22
27         62.2159        2.1267
28       -134.5315        0.8000       1.95375  32.32
29         63.8962        0.1500
30         29.9699        3.6174       1.83400  37.34
31        106.6803         D(31)
32 ASPH    66.5774        2.7983       1.86100  37.10
33 ASPH -1660.1905        0.2000
34         57.0580        0.9000       1.88300  40.80
35         17.0749        6.6434       1.59282  68.62
36         80.4115         D(36)
【０１６１】
［表２６］
f         25.7498       34.9997      119.9726      290.7901
Fno        4.1094        4.5539        6.0814        6.4800
ω        41.2186       31.2703        9.8788        4.1674
Y         21.6330       21.6330       21.6330       21.6330
【０１６２】
［表２７］
可変間隔 [無限遠合焦時]
D( 0)        INF           INF           INF           INF
D( 5)       2.7327        9.9809       51.2558       72.7993
D(13)      34.9919       27.7460       11.4800        1.5000
D(19)      17.2042       10.2175        1.0000        1.0000
D(24)       1.3000        1.3000        4.3982        7.5926
D(31)       7.4925        7.4925        4.3944        1.2000
D(36)      39.0184       49.1064       82.2613      107.7070
【０１６３】
［表２８］
可変間隔 [撮影距離1m合焦時]
D( 0)     816.4987      813.3951      764.4488      727.4400
D( 5)       2.0302        9.1735       48.8464       66.6946
D(13)      35.6944       28.5534       13.8894        7.6047
D(19)      17.2042       10.2175        1.0000        1.0000
D(24)       1.3000        1.3000        4.3982        7.5926
D(31)       7.4925        7.4925        4.3944        1.2000
D(36)      39.0184       49.1064       82.2613      107.7070
【０１６４】
［表２９］
群番号  焦点距離
G1     130.4988
G2     -18.7594
G3      73.2986
G4      35.9949
G5     -48.7627
G6     183.3514
【０１６５】
［表３０］
非球面係数
面番号  K       A4            A6            A8            A10           A12
6   0   1.92257E-05  -8.27019E-08   2.56109E-10  -4.09692E-13   2.38133E-16
7   0   1.89306E-05  -4.86026E-08   3.78184E-10  -2.25419E-12   1.04604E-14
12   0  -3.19763E-06   5.14910E-08  -4.23593E-10   2.53309E-12  -5.04958E-15
13   0  -6.96844E-06   3.40560E-08  -3.71517E-10   2.12370E-12  -4.53010E-15
15   0  -5.09710E-06   2.16319E-09  -2.07521E-10   1.56196E-12  -1.00205E-14
16   0  -1.41520E-06  -1.53129E-08   5.97943E-11  -2.52429E-13  -5.36289E-15
20   0   2.76393E-06  -5.75944E-09   6.41771E-11  -2.98688E-13  -7.11339E-16
21   0   5.92135E-06   3.57989E-09  -1.53862E-10   1.02130E-12  -4.01818E-15
32   0   3.23854E-06  -5.85794E-09  -1.10678E-10   8.76006E-14   0.00000E+00
33   0   9.24999E-06   9.94371E-10  -1.61609E-10   1.69517E-13   5.82655E-17
【実施例６】
【０１６６】
（１）ズームレンズの光学構成
図２６は、本件発明の実施例６のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、正の屈折力を有する第７レンズ群Ｇ７とから構成されている。開口絞りＳは、第３レンズ群Ｇ３の物体側に、第３レンズ群Ｇ３に隣接して配置される。
【０１６７】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成される。
【０１６８】
第２レンズ群Ｇ２は、物体側から順に、物体側に凸面を向けた負メニスカスレンズＬ４と、両凹レンズＬ５と、両凸レンズＬ６と、像側に凸面を向けた負メニスカスレンズＬ７とから構成される。負メニスカスレンズＬ４及び負メニスカスレンズＬ７はどちらも両面が非球面形状のガラスモールド型非球面レンズである。
【０１６９】
第３レンズ群Ｇ３は、物体側から順に、両凸レンズＬ８と、両凸レンズＬ９及び両凹レンズＬ１０を接合した接合レンズとから構成される。両凸レンズＬ８は両面が非球面形状のガラスモールド型非球面レンズである。
【０１７０】
第４レンズ群Ｇ４は、物体側から順に、両凸レンズＬ１１と、物体側に凸面を向けた負メニスカスレンズＬ１２及び両凸レンズＬ１３を接合した接合レンズから構成される。両凸レンズＬ１１は両面が非球面形状のガラスモールド型非球面レンズである。
【０１７１】
第５レンズ群Ｇ５は、負の屈折力を有する第５Ａレンズ群Ｇ５Ａと、負の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０１７２】
第５Ａレンズ群Ｇ５Ａは、物体側から順に、像側に凸面を向けた正メニスカスレンズＬ１４と両凹レンズＬ１５とを接合した接合レンズから構成される。第５Ｂレンズ群Ｇ５Ｂは、物体側から順に、像側に凸面を向けた負メニスカスレンズＬ１６と、物体側に凸面を向けた正メニスカスレンズＬ１７とから構成される。
【０１７３】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成される。両凸レンズＬ１８は両面が非球面形状のガラスモールド型非球面レンズである。
【０１７４】
第７レンズ群Ｇ７は、物体側から順に、像側に凸面を向けた正メニスカスレンズから構成される。
【０１７５】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動し、第７レンズ群Ｇ７は光軸上に固定される。ズーミングに際し、第４レンズ群Ｇ４と第６レンズ群Ｇ６は同一軌跡で移動する。
【０１７６】
無限遠物体から近距離物体へのフォーカシングは、第２レンズ群Ｇ２が物体側に移動することで行う。
【０１７７】
（２）数値実施例
次に、当該ズームレンズの具体的数値を適用した数値実施例について説明する。表３１に、当該ズームレンズの面データを示し、表３２に当該ズームレンズの緒元表を示す。表３３に、無限遠合焦時における当該ズームレンズの光軸上の可変間隔を示し、表３４に、撮影距離（撮像距離）が１ｍの近接物体への合焦時における当該ズームレンズの光軸上の可変間隔を示す。表３５は、当該ズームレンズを構成する各レンズ群の焦点距離を示している。表３６は、各非球面の非球面係数である。また、表５０に条件式（１）〜条件式（９）の値を示す。さらに、表５２に条件式（１）〜条件式（９）の値を求めるために必要な各変数の値を示す。また、図２７〜図３０に、当該実施例６のズームレンズの広角端、第１の中間焦点距離位置、第２の中間焦点距離位置、望遠端における無限遠合焦時の縦収差図をそれぞれ示す。
【０１７８】
［表３１］
面番号        R             D            Nd       ABV
物体面        ∞            D( 0)
1        156.4223        1.2000       1.90525  35.04
2         76.3327       10.0989       1.55032  75.50
3      -2793.9958        0.2000
4         69.1384        8.0946       1.59282  68.62
5        291.0807         D( 5)
6 ASPH  1090.2146        1.4000       1.88202  37.22
7 ASPH    19.2696        6.4744
8        -48.0296        0.8000       1.88300  40.80
9         83.9972        0.1500
10         63.1871        8.4749       1.84666  23.78
11        -33.2519        1.4961
12 ASPH   -19.5570        1.1000       1.59201  67.02
13 ASPH   -51.8808         D(13)
14 STOP     0.0000        1.1000
15 ASPH    40.6509        5.2262       1.69350  53.18
16 ASPH  -121.5545        0.5000
17         55.6779        4.4574       1.60562  43.71
18       -125.2885        0.8000       1.90043  37.37
19         42.5008         D(19)
20 ASPH    60.7812        3.7080       1.69350  53.18
21 ASPH  -238.9331        0.2000
22         55.2010        0.8000       1.80610  33.27
23         19.7549        8.7347       1.59282  68.62
24        -57.4389         D(24)
25       -110.9310        3.4349       1.92119  23.96
26        -31.3766        0.8000       1.83481  42.72
27         75.6060        3.4814
28        -43.5563        0.8000       1.85478  24.80
29       -165.3994        0.1500
30         33.9509        3.1576       1.83481  42.72
31         66.5266         D(31)
32 ASPH    70.5292        4.5454       1.88202  37.22
33 ASPH   -57.2955        0.2000
34       5652.5084        0.9000       1.88300  40.80
35         19.3555        6.2940       1.59282  68.62
36         92.8622         D(36)
37       -168.3932        3.0571       1.51680  64.20
38        -73.5369         D(38)
【０１７９】
［表３２］
f         25.7500       34.9999       84.9996      194.2000
Fno        4.1100        4.1100        4.1100        4.1100
ω        41.3248       31.2987       13.8094        6.1960
Y         21.6330       21.6330       21.6330       21.6330
【０１８０】
［表３３］
可変間隔 [無限遠合焦時]
D( 0)        INF           INF           INF           INF
D( 5)       2.7226       10.5179       40.9038       69.2102
D(13)      26.0829       20.1420        9.0658        1.5488
D(19)      11.3814        6.6798        2.8125        1.4247
D(24)       1.3000        1.9018        4.8826        5.7837
D(31)       5.6874        5.0856        2.1048        1.2036
D(36)       2.5000       12.2556       37.5089       48.5032
D(38)      36.3092       36.3092       36.3092       36.3092
【０１８１】
［表３４］
可変間隔 [撮影距離1m合焦時]
D( 0)     822.2248      815.2825      774.5481      744.1492
D( 5)       2.0250        9.6974       39.0832       63.2749
D(13)      26.7805       20.9625       10.8864        7.4842
D(19)      11.3814        6.6798        2.8125        1.4247
D(24)       1.3000        1.9018        4.8826        5.7837
D(31)       5.6874        5.0856        2.1048        1.2036
D(36)       2.5000       12.2556       37.5089       48.5032
D(38)      36.3092       36.3092       36.3092       36.3092
【０１８２】
［表３５］
群番号  焦点距離
G1     126.3590
G2     -18.5168
G3      76.8145
G4      37.0956
G5     -52.3137
G6     131.7376
G7     249.8620
【０１８３】
［表３６］
非球面係数
面番号  K       A4            A6            A8            A10           A12
6   0   1.82164E-05  -6.14390E-08   1.74948E-10  -2.06282E-13   9.82579E-19
7   0   1.54701E-05  -3.41912E-08   8.13779E-10  -6.33454E-12   2.97130E-14
12   0   1.32289E-05   7.15967E-08  -3.96928E-10   1.75039E-12  -2.45515E-15
13   0   3.83720E-06   2.77151E-08  -3.62244E-10   1.17308E-12  -1.62154E-15
15   0  -4.87049E-06  -3.82338E-09  -3.47057E-11  -1.68407E-13  -4.21234E-19
16   0  -1.16570E-06  -7.46157E-09  -1.41918E-11  -2.70407E-13   2.53450E-16
20   0   6.20913E-06   1.57373E-08  -9.19652E-12  -2.18024E-13   5.80125E-17
21   0   7.73543E-06   1.58852E-08  -3.75268E-11  -3.43456E-14  -5.93375E-16
32   0  -5.02495E-07   4.38743E-09   5.37131E-11  -1.43615E-13   0.00000E+00
33   0   8.82384E-06   3.13928E-09   5.52424E-11  -1.69236E-13   6.25314E-18
【実施例７】
【０１８４】
（１）ズームレンズの光学構成
図３１は、本件発明の実施例７のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、負の屈折力を有する第７レンズ群Ｇ７とから構成されている。開口絞りＳは、第３レンズ群Ｇ３の物体側に、第３レンズ群Ｇ３に隣接して配置される。
【０１８５】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成されている。
【０１８６】
第２レンズ群Ｇ２は、物体側から順に、物体側に凸面を向けた負メニスカスレンズＬ４と、両凹レンズＬ５と、両凸レンズＬ６と、像側に凸面を向けた負メニスカスレンズＬ７とから構成されている。負メニスカスレンズＬ４及び負メニスカスレンズＬ７は、どちらも両面が非球面形状のガラスモールド型非球面レンズである。
【０１８７】
第３レンズ群Ｇ３は、物体側から順に、両凸レンズＬ８と、両凸レンズＬ９及び両凹レンズＬ１０を接合した接合レンズとから構成されている。両凸レンズＬ８は、両面が非球面形状のガラスモールド型非球面レンズである。
【０１８８】
第４レンズ群Ｇ４は、物体側から順に、両凸レンズＬ１１と、物体側に凸面を向けた負メニスカスレンズＬ１２及び両凸レンズＬ１３を接合した接合レンズとから構成されている。両凸レンズＬ１１は、両面が非球面形状のガラスモールド型非球面レンズである。
【０１８９】
第５レンズ群Ｇ５は、負の屈折力を有する第５Ａレンズ群Ｇ５Ａと、正の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０１９０】
第５Ａレンズ群Ｇ５Ａは、物体側から順に、像側に凸面を向けた正メニスカスレンズＬ１４と両凹レンズＬ１５とを接合した接合レンズで構成される。第５Ｂレンズ群Ｇ５Ｂは、物体側から順に、両凹レンズＬ１６と、物体側に凸面を向けた正メニスカスレンズＬ１７とから構成されている。
【０１９１】
第６レンズ群Ｇ６は、物体側から順に、両凸レンズＬ１８と、物体側に凸面を向けた負メニスカスレンズＬ１９及び物体側に凸面を向けた正メニスカスレンズＬ２０を接合した接合レンズとから構成されている。両凸レンズＬ１８は両面が非球面形状のガラスモールド型非球面レンズである。
【０１９２】
第７レンズ群Ｇ７は、物体側から順に、物体側に凸面を向けた負メニスカスレンズから構成されている。
【０１９３】
広角端から望遠端へのズーミングに際し、第１レンズ群Ｇ１は物体側に移動し、第２レンズ群Ｇ２はまず像側に移動した後に物体側へ移動し、再度像側に移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動し、第７レンズ群Ｇ７は物体側へ移動する。ズーミングに際し、第４レンズ群Ｇ４と第６レンズ群Ｇ６とは同一軌跡で移動する。
【０１９４】
無限遠物体から近距離物体へのフォーカシングは、第２レンズ群Ｇ２が物体側に移動することで行う。
【０１９５】
（２）数値実施例
次に、当該ズームレンズの具体的数値を適用した数値実施例について説明する。表３７に、当該ズームレンズの面データを示し、表３８に当該ズームレンズの緒元表を示す。表３９に、無限遠合焦時における当該ズームレンズの光軸上の可変間隔を示し、表４０に、撮影距離（撮像距離）が１ｍの近接物体への合焦時における当該ズームレンズの光軸上の可変間隔を示す。表４１は、当該ズームレンズを構成する各レンズ群の焦点距離を示している。表４２は、各非球面の非球面係数である。また、表５０に条件式（１）〜条件式（９）の値を示す。さらに、表５２に条件式（１）〜条件式（９）の値を求めるために必要な各変数の値を示す。また、図３２〜図３５に、当該実施例７のズームレンズの広角端、第１の中間焦点距離位置、第２の中間焦点距離位置、望遠端における無限遠合焦時の縦収差図をそれぞれ示す。
【０１９６】
［表３７］
面番号        R             D            Nd       ABV
物体面        ∞            D( 0)
1        160.2378        1.2000       1.90525  35.04
2         77.4740        9.6112       1.55032  75.50
3      -1624.0109        0.2000
4         70.8502        7.5974       1.59282  68.62
5        308.3747         D( 5)
6 ASPH   248.8162        1.4000       1.88202  37.22
7 ASPH    19.1044        6.6398
8        -46.1514        0.8000       1.88300  40.80
9         77.9692        0.1500
10         55.9303        6.8812       1.84666  23.78
11        -34.4888        1.2729
12 ASPH   -21.8384        1.1000       1.59201  67.02
13 ASPH   -77.4691         D(13)
14 STOP     0.0000        1.1000
15 ASPH    37.2310        5.2253       1.69350  53.18
16 ASPH  -135.9227        0.5000
17         74.6176        4.2677       1.60562  43.71
18        -83.5345        0.8000       1.90043  37.37
19         52.6928         D(19)
20 ASPH    54.0645        4.0652       1.69350  53.18
21 ASPH  -181.2938        0.2000
22         66.1945        0.8000       1.80610  33.27
23         18.5752        8.6045       1.59282  68.62
24        -70.5337         D(24)
25       -114.3948        3.6908       1.92119  23.96
26        -29.1686        0.8000       1.83481  42.72
27         70.1594        2.9851
28        -66.6474        0.8000       1.85478  24.80
29       1244.2339        0.1500
30         33.3118        3.6272       1.83481  42.72
31         85.0991         D(31)
32 ASPH    83.3027        3.7052       1.88202  37.22
33 ASPH   -84.6736        0.2000
34         95.0778        0.9000       1.88300  40.80
35         19.4917        6.9070       1.59282  68.62
36        229.4090         D(36)
37        201.5041        1.2000       1.48749  70.24
38         61.0094         D(38)
【０１９７】
［表３８］
f         25.7500       35.0006       84.9922      194.2000
Fno        4.1100        4.1100        4.1100        4.1100
ω        41.3106       31.4933       13.8121        6.1693
Y         21.6330       21.6330       21.6330       21.6330
【０１９８】
［表３９］
可変間隔 [無限遠合焦時]
D( 0)        INF           INF           INF           INF  
D( 5)       2.6763        8.9792       36.7018       69.0435
D(13)      27.8753       21.1140        9.3942        1.6136
D(19)      12.3590        6.7686        1.6298        1.0000
D(24)       1.3000        1.3000        4.5565        6.2136
D(31)       6.1136        6.1136        2.8570        1.2000
D(36)       1.2000        1.3411        1.2291        6.2001
D(38)      36.2834       45.9979       72.3481       70.7182
【０１９９】
［表４０］
可変間隔 [撮影距離1m合焦時]
D( 0)     824.8120      821.0051      783.9030      756.6305
D( 5)       1.9896        8.1992       35.1407       63.4173
D(13)      28.5619       21.8940       10.9553        7.2398
D(19)      12.3590        6.7686        1.6298        1.0000
D(24)       1.3000        1.3000        4.5565        6.2136
D(31)       6.1136        6.1136        2.8570        1.2000
D(36)       1.2000        1.3411        1.2291        6.2001
D(38)      36.2834       45.9979       72.3481       70.7182
【０２００】
［表４１］
群番号  焦点距離
G1     126.8138
G2     -18.4615
G3      72.9965
G4      40.6900
G5     -66.1593
G6      75.5765
G7    -180.0000
【０２０１】
［表４２］
面番号  K       A4            A6            A8            A10           A12
6   0   1.12720E-05  -5.72932E-08   2.68281E-10  -5.41988E-13   3.99845E-16
7   0   1.01735E-05  -6.32362E-08   7.04605E-10  -4.41865E-12   2.16806E-14
12   0   2.13865E-06   5.34189E-08  -3.33576E-10   1.71627E-12  -3.30061E-15
13   0  -4.69517E-06   3.50780E-08  -2.79575E-10   9.39239E-13  -1.39883E-15
15   0  -5.50773E-06  -2.75342E-09  -4.78273E-11  -1.57552E-13  -2.47812E-16
16   0  -1.27378E-06  -3.73205E-09  -2.05715E-11  -3.94894E-13   3.52041E-16
20   0   5.34069E-06   2.01981E-08   1.41476E-11  -1.81128E-13  -2.50102E-16
21   0   7.53090E-06   1.47024E-08   4.39478E-12   1.05051E-15  -1.02080E-15
32   0  -1.20801E-06  -1.11899E-09   3.57205E-11  -1.20992E-13   0.00000E+00
33   0   6.57219E-06   1.81006E-09   3.20610E-11  -1.24197E-13  -3.71749E-18
【実施例８】
【０２０２】
（１）ズームレンズの光学構成
図３６は、本件発明の実施例８のズームレンズの広角端における無限遠合焦時のレンズ断面図である。当該ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。開口絞りは、第３レンズ群Ｇ３の物体側に隣接して配置される。
【０２０３】
以下、各レンズ群の構成を説明する。第１レンズ群Ｇ１は、物体側から順に、物体側に凸面を向けた負メニスカスレンズＬ１及び物体側に凸面を向けた正メニスカスレンズＬ２を接合した接合レンズと、物体側に凸面を向けた正メニスカスレンズＬ３とから構成されている。
【０２０４】
第２レンズ群Ｇ２は、物体側から順に、物体側に凸面を向けた負メニスカスレンズＬ４と、両凹レンズＬ５及び両凸レンズＬ６を接合した接合レンズと、像側に凸面を向けた負メニスカスレンズＬ７とから構成されている。負メニスカスレンズＬ４は物体側面に、非球面形状に成型された複合樹脂膜が貼付された複合樹脂型非球面レンズである。負メニスカスレンズＬ７は両面が非球面形状のガラスモールド型非球面レンズである。
【０２０５】
第３レンズ群Ｇ３は、物体側から順に、両凸レンズＬ８と、物体側に凸面を向けた負メニスカスレンズＬ９とから構成されている。両凸レンズＬ８は両面が非球面形状のガラスモールド型非球面レンズである。
【０２０６】
第４レンズ群Ｇ４は、物体側から順に、物体側に凸面を向けた負メニスカスレンズＬ１０及び両凸レンズＬ１１を接合した接合レンズと、像側に凸面を向けた正メニスカスレンズＬ１２とから構成される。正メニスカスレンズＬ１２は物体側面に、非球面形状に成型された複合樹脂膜が貼付された複合樹脂型非球面レンズである。
【０２０７】
第５レンズ群Ｇ５は、負の屈折力を有する第５Ａレンズ群Ｇ５Ａと、負の屈折力を有する第５Ｂレンズ群Ｇ５Ｂとから構成されている。第５Ａレンズ群Ｇ５Ａは光軸と垂直方向に移動可能に構成されている。手振れ等により当該ズームレンズに振動が生じた場合には、第５Ａレンズ群を光軸に対して垂直方向に移動させることで像位置を補正し、振動に伴う像ブレを補正することができる。
【０２０８】
第５Ａレンズ群Ｇ５Ａは、物体側から順に、像側に凸面を向けた正メニスカスレンズＬ１３と両凹レンズＬ１４とを接合した接合レンズから構成されている。第５Ｂレンズ群Ｇ５Ｂは物体側から順に、両凹レンズＬ１５と、物体側に凸面を向けた正メニスカスレンズＬ１６とから構成されている。
【０２０９】
第６レンズ群Ｇ６は、物体側から順に、両凸レンズＬ１７と、両凹レンズＬ１８及び両凸レンズＬ１９を接合した接合レンズとから構成されている。両凸レンズＬ１７は像側面が非球面形状のガラスモールド型非球面レンズである。
【０２１０】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動する。ズーミングに際し、第４レンズ群Ｇ４と第６レンズ群Ｇ６とは同一軌跡で移動する。
【０２１１】
無限遠物体から近距離物体へのフォーカシングは、第２レンズ群Ｇ２が物体側に移動することで行う。
【０２１２】
（２）数値実施例
次に、当該ズームレンズの具体的数値を適用した数値実施例について説明する。表４３に、当該ズームレンズの面データを示し、表４４に当該ズームレンズの緒元表を示す。表４５に、無限遠合焦時における当該ズームレンズの光軸上の可変間隔を示し、表４６に、撮影距離（撮像距離）が１ｍの近接物体への合焦時における当該ズームレンズの光軸上の可変間隔を示す。表４７は、当該ズームレンズを構成する各レンズ群の焦点距離を示している。表４８は、各非球面の非球面係数である。また、表５０に条件式（１）〜条件式（９）の値を示す。さらに、表５２に条件式（１）〜条件式（９）の値を求めるために必要な各変数の値を示す。また、図３７〜図４０に、当該実施例８のズームレンズの広角端、第１の中間焦点距離位置、第２の中間焦点距離位置、望遠端における無限遠合焦時の縦収差図をそれぞれ示す。
【０２１３】
［表４３］
面番号        R             D            Nd       ABV
物体面        ∞            D( 0)
1        125.5473        1.3000       1.92119  23.96
2         66.7865        6.6542       1.55032  75.50
3        327.6004        0.2000
4         66.7072        5.5662       1.85150  40.78
5        200.5333         D( 5)
6 ASPH   121.5567        0.1500       1.51460  49.96
7        103.8273        1.2000       1.95375  32.32
8         16.5583        6.1790
9        -63.3104        0.8000       1.85150  40.78
10         20.9482        6.3201       1.85478  24.80
11        -41.5585        1.5865
12 ASPH   -22.2271        1.1000       1.59201  67.02
13 ASPH   -42.6211         D(13)
14 STOP     0.0000        1.2000
15 ASPH    27.7732        4.2379       1.69350  53.18
16 ASPH  -528.4763        1.0453
17         52.7990        1.0000       1.80610  33.27
18         29.1195         D(18)
19         33.3491        0.8000       1.80518  25.46
20         17.2433        7.2899       1.59282  68.62
21        -64.2082        0.1500
22 ASPH  -194.6783        0.2014       1.51460  49.96
23       -124.6408        1.9077       1.67270  32.17
24        -67.9744         D(24)
25        -70.1638        3.9104       1.92119  23.96
26        -20.6135        0.8000       1.83400  37.21
27         85.0594        2.8488
28        -47.0375        0.8000       1.83481  42.72
29        196.3548        0.1500
30         34.8007        3.9649       1.84666  23.78
31        280.5641         D(31)
32        286.9141        3.5413       1.95375  32.32
33 ASPH   -47.4107        0.2000
34      -1181.6879        0.9000       1.85478  24.80
35         19.8593        7.3481       1.59282  68.62
36       -170.6347         D(36)
【０２１４】
［表４４］
f         24.7000       35.0000       73.0073      101.9997
Fno        4.1100        4.1100        4.1100        4.1100
ω        42.2346       31.3312       16.0123       11.6339
Y         21.6330       21.6330       21.6330       21.6330
【０２１５】
［表４５］
可変間隔 [無限遠合焦時]
D( 0)        INF           INF           INF           INF
D( 5)       3.2419        9.3600       29.8224       43.7602
D(13)      24.8393       15.5695        4.4008        1.5000
D(18)       4.9244        2.1854        1.2907        1.2811
D(24)       1.3000        3.0446        6.2767        6.9629
D(31)       6.8632        5.1186        1.8868        1.2000
D(36)      38.9777       47.5119       67.0024       70.4735
【０２１６】
［表４６］
可変間隔 [撮影距離1m合焦時]
D( 0)     846.5019      843.8584      815.9686      801.4708
D( 5)       2.5318        8.5436       28.3737       41.3513
D(13)      25.5494       16.3859        5.8496        3.9089
D(18)       4.9244        2.1854        1.2907        1.2811
D(24)       1.3000        3.0446        6.2767        6.9629
D(31)       6.8632        5.1186        1.8868        1.2000
D(36)      38.9777       47.5119       67.0024       70.4735
【０２１７】
［表４７］
群番号  焦点距離
G1     114.5990
G2     -18.5642
G3      64.4514
G4      38.5334
G5     -51.7619
G6      77.2638
【０２１８】
［表４８］
非球面係数
面番号  K       A4            A6            A8            A10           A12
6   0   4.65193E-06  -1.97601E-08   6.76607E-11  -2.25110E-13   5.70452E-16
12   0   2.03595E-07   2.28155E-08  -7.84482E-10   2.04602E-12  -1.15570E-14
13   0  -1.39973E-05  -6.94876E-09  -5.10022E-10  -1.75094E-13   7.15614E-16
15   0  -9.52634E-06   1.19012E-08  -1.95517E-10  -7.05946E-15   1.23072E-15
16   0  -5.52765E-06   9.31075E-09  -4.68912E-11  -8.73955E-13   3.67889E-15
22   0  -1.19581E-05   6.19716E-09   3.22951E-10  -2.22061E-12   8.66431E-15
33   0   8.70991E-06   1.04240E-08   4.42826E-12  -1.13151E-13   3.13258E-16
【０２１９】
［表４９］
実施例1   実施例2   実施例3   実施例4
条件式(1) f34w/|f5|          0.549     0.263     0.314     0.490
条件式(2) fw/f5iw           -0.139    -0.203     0.026    -0.303
条件式(3) f1/fw              4.930     4.937     4.954     4.953
条件式(4) T3w/Y              4.917     4.973     4.851     4.857
条件式(5) f345w/f6iw         0.401    -0.008     0.369     0.127
条件式(6) |f2|/ft            0.095     0.096     0.094     0.097
条件式(7) Cr2r/fw           -2.352    -2.145    -2.420    -2.216
条件式(8) BFw/Y              1.801     1.802     1.879     1.801
条件式(9) (ft/fw)/Fnom       1.835     1.835     1.835     1.835
【０２２０】
［表５０］
実施例5   実施例6   実施例7   実施例8
条件式(1) f34w/|f5|          0.689     0.633     0.520     0.548
条件式(2) fw/f5iw           -0.382    -0.148    -0.158    -0.057
条件式(3) f1/fw              5.068     4.907     4.925     4.640
条件式(4) T3w/Y              5.014     5.010     4.932     4.306
条件式(5) f345w/f6iw         0.238     0.329     0.567     0.533
条件式(6) |f2|/ft            0.065     0.095     0.095     0.182
条件式(7) Cr2r/fw           -5.825    -2.015    -3.009    -1.726
条件式(8) BFw/Y              1.804     1.676     1.677     1.802
条件式(9) (ft/fw)/Fnom       2.188     1.835     1.835     1.005
【０２２１】
［表５１］
実施例1   実施例2   実施例3   実施例4
f1               126.952   127.122   127.571   127.546
f2               -18.389   -18.713   -18.294   -18.756
f3                70.802    74.665    77.337    74.031
f4                40.847    39.604    46.589    36.187
f5               -61.666  -132.339  -113.298   -66.936
f6               105.916 -5186.220   113.820   318.956
f7                  -         -         -         -
f34w              33.848    34.851    35.530    32.812
f5iw            -185.460  -126.545  1007.047   -85.108
f6iw             105.916 -5186.220   113.820   318.956
f345w             42.489    40.174    41.992    40.492
T3w              106.375   107.573   104.948   105.074
Cr2r             -60.560   -55.241   -62.314   -57.056
BFw               38.953    38.985    40.654    38.969
Fnom               4.110     4.110     4.110     4.110
【０２２２】
［表５２］
実施例5   実施例6   実施例7   実施例8
f1               130.499   126.359   126.814   114.599
f2               -18.759   -18.517   -18.462   -18.564
f3                73.299    76.815    72.997    64.451
f4                35.995    37.096    40.690    38.533
f5               -48.763   -52.314   -66.159   -51.762
f6               183.351   131.738    75.577    77.264
f7                  -      249.862  -180.000      -
f34w              33.616    33.090    34.424    28.355
f5iw             -67.361  -173.978  -163.416  -433.278
f6iw             183.351    90.882   118.454    77.264
f345w             43.600    43.330    42.876    41.143
T3w              108.460   108.381   106.684    93.161
Cr2r            -150.000   -51.881   -77.469   -42.621
BFw               39.018    36.309    36.283    38.978
Fnom               5.160     4.110     4.110     4.110
【産業上の利用可能性】
【０２２３】
本件発明によれば周辺光量が豊富で高い光学性能を有し、且つ、高変倍比のズームレンズ及び当該ズームレンズ有する撮像装置を提供することができる。当該ズームレンズは、一眼レフレックスカメラ、ミラーレスカメラ等のレンズ交換システムを採用した撮像装置の交換レンズに好適である。当該ズームレンズは例えば半画角で４０度程度の広い画角を実現しつつ、広角端においても所定のバックフォーカスを有するため、特に、一眼レフレックスカメラの交換レンズに好適である。
【符号の説明】
【０２２４】
Ｇ１・・・第１レンズ群
Ｇ２・・・第２レンズ群
Ｇ３・・・第３レンズ群
Ｇ４・・・第４レンズ群
Ｇ５・・・第５レンズ群
Ｇ５Ａ・・・第５Ａレンズ群
Ｇ５Ｂ・・・第５Ｂレンズ群
Ｇ６・・・第６レンズ群
Ｇ７・・・第７レンズ群
Ｓ・・・開口絞り
ＩＰ・・・像面
【図１】
2019191445.tif 000003
【図２】
2019191445.tif 000004
【図３】
2019191445.tif 000005
【図４】
2019191445.tif 000006
【図５】
2019191445.tif 000007
【図６】
2019191445.tif 000008
【図７】
2019191445.tif 000009
【図８】
2019191445.tif 000010
【図９】
2019191445.tif 000011
【図１０】
2019191445.tif 000012
【図１１】
2019191445.tif 000013
【図１２】
2019191445.tif 000014
【図１３】
2019191445.tif 000015
【図１４】
2019191445.tif 000016
【図１５】
2019191445.tif 000017
【図１６】
2019191445.tif 000018
【図１７】
2019191445.tif 000019
【図１８】
2019191445.tif 000020
【図１９】
2019191445.tif 000021
【図２０】
2019191445.tif 000022
【図２１】
2019191445.tif 000023
【図２２】
2019191445.tif 000024
【図２３】
2019191445.tif 000025
【図２４】
2019191445.tif 000026
【図２５】
2019191445.tif 000027
【図２６】
2019191445.tif 000028
【図２７】
2019191445.tif 000029
【図２８】
2019191445.tif 000030
【図２９】
2019191445.tif 000031
【図３０】
2019191445.tif 000032
【図３１】
2019191445.tif 000033
【図３２】
2019191445.tif 000034
【図３３】
2019191445.tif 000035
【図３４】
2019191445.tif 000036
【図３５】
2019191445.tif 000037
【図３６】
2019191445.tif 000038
【図３７】
2019191445.tif 000039
【図３８】
2019191445.tif 000040
【図３９】
2019191445.tif 000041
【図４０】
2019191445.tif 000042